(57)【要約】      （修正有）【課題】実行可能な取引の種類を容易に変更し得るようにする。【解決手段】紙幣入出金機は、接客取付部、鑑別取付部及び紙幣収納取付部にそれぞれ高機能版又は低機能版のモジュールを取り付け得るようにし、また一時保留取付部に対し、一時保留部を取り付けた状態、又は取り外した状態において運用し得るようにした。このため紙幣入出金機は、低機能版の各モジュールが取り付けられていれば、低機能モードで動作することで出金機として機能し、利用者との間で入金を伴わない取引処理を行うことができる。また紙幣入出金機は、高機能版の各モジュールが取り付けられ、且つ一時保留部が取り付けられていれば、高機能モードで動作することでＡＴＭとして機能し、出金機としての各機能に加えて、利用者との間で入金取引のように入金を伴う取引処理を行うことができる。【選択図】図８
2016057968.tif 000002
【特許請求の範囲】
【請求項１】
媒体を搬送する搬送部と、
前記搬送部から前記媒体を受け取り利用者に引き渡す引渡機能及び前記利用者から前記媒体を受け取り前記搬送部に引き渡す受取機能の少なくとも一方を有する接客部を、前記筐体に対し取り付ける接客取付部と、
前記搬送部により搬送される前記媒体を鑑別する鑑別部を、前記筐体に対し取り付ける鑑別取付部と、
前記媒体を収納する収納部を、前記筐体に対し取り付ける収納取付部と、
前記利用者との間における前記媒体の取引処理を制御する制御部と
を具え、
前記接客取付部、前記鑑別取付部及び前記収納取付部のうち少なくとも１つは、互いの機能が異なる複数種類の前記接客部、前記鑑別部又は前記収納部が取付可能であると共に、そのいずれかの種類の前記接客部、前記鑑別部又は前記収納部が取り付けられ、
前記制御部は、前記接客取付部、前記鑑別取付部及び前記収納取付部のうち複数種類の前記接客部、前記鑑別部又は前記収納部が取付可能な部分に取り付けられた前記接客部、前記鑑別部又は前記収納部の種類に応じて、前記利用者との間で実行可能な前記取引処理を切り替える
ことを特徴とする媒体取引装置。
【請求項２】
前記利用者との間における１回の前記取引処理において取引される前記媒体を一時的に収納し、また繰り出す一時収納部を、前記筐体に対し取り付ける一時収納取付部
をさらに具え、
前記制御部は、前記接客取付部、前記鑑別取付部及び前記収納取付部のうち複数種類の前記接客部、前記鑑別部又は前記収納部が取付可能な部分に取り付けられた前記接客部、前記鑑別部又は前記収納部の種類と、前記一時収納取付部に対する前記一時収納部の取付の有無とに応じて、前記利用者との間で実行可能な前記取引処理を切り替える
ことを特徴とする請求項１に記載の媒体取引装置。
【請求項３】
前記接客取付部は、前記引渡機能を有する低機能接客部と、前記引渡機能及び前記受取機能の双方を有する高機能接客部とのいずれかが取り付けられ、
前記鑑別取付部は、前記媒体の搬送状態を鑑別する低機能鑑別部と、前記搬送状態に加えて、少なくとも前記媒体の真偽を鑑別する高機能鑑別部とのいずれかが取り付けられ、
前記収納取付部は、前記利用者に引き渡すべき前記媒体を繰り出して前記搬送部へ引き渡す繰出機能を有する低機能収納部と、前記繰出機能に加えて前記利用者から受け取り前記搬送部により搬送された前記媒体を取り込んで収納する収納機能を有する高機能収納部とのいずれかが取り付けられ、
前記制御部は、前記接客取付部に前記高機能接客部が取り付けられ、前記鑑別取付部に前記高機能鑑別部が取り付けられ、且つ前記収納取付部に前記高機能収納部が取り付けられた場合に、前記利用者に対し前記媒体を引き渡す引渡取引及び前記利用者から前記媒体を受け取る受取取引を実行可能とし、それ以外の場合に、前記受取取引を実行不可能として前記引渡取引を実行可能とする
ことを特徴とする請求項１に記載の媒体取引装置。
【請求項４】
前記利用者との間における１回の前記取引処理において取引される前記媒体を一時的に収納し、また繰り出す一時収納部を、前記筐体に対し取り付ける一時収納取付部
をさらに具え、
前記制御部は、前記接客取付部に前記高機能接客部が取り付けられ、前記鑑別取付部に前記高機能鑑別部が取り付けられ、且つ前記収納取付部に前記高機能収納部が取り付けられ、さらに前記一時収納取付部に前記一時収納部が取り付けられた場合に、前記引渡取引及び前記受取取引を実行可能とし、それ以外の場合に、前記受取取引を実行不可能として前記引渡取引を実行可能とする
ことを特徴とする請求項３に記載の媒体取引装置。
【請求項５】
前記引渡取引において前記利用者が前記接客部から取り忘れた取忘媒体を収納する取忘収納部を、前記筐体に対し取り付ける取忘収納取付部
をさらに具え、
前記制御部は、前記接客取付部に前記高機能接客部が取り付けられ、且つ前記取忘収納取付部に前記取忘収納部が取り付けられた場合に、前記高機能接客部の前記受取機能により前記取忘媒体を前記搬送部に引き渡し、当該搬送部により前記取忘収納部へ搬送して収納させ、その次の前記取引処理を受け付ける
ことを特徴とする請求項３に記載の媒体取引装置。
【請求項６】
前記制御部は、前記受取取引を実行不可能とする受取取引不可設定が設定可能であり、前記受取取引不可設定がなされた場合、前記接客取付部、前記鑑別取付部及び前記収納取付部にそれぞれ取り付けられた前記接客部、前記鑑別部又は前記収納部の種類に拘わらず、前記受取取引を実行不可能とする
ことを特徴とする請求項３に記載の媒体取引装置。
【請求項７】
前記制御部は、前記接客取付部、前記鑑別取付部及び前記収納取付部にそれぞれ取り付けられている前記接客部、前記鑑別部又は前記収納部の種類をそれぞれ検知し、得られた検知結果を基に、前記利用者との間で実行可能な前記取引処理を切り替える
ことを特徴とする請求項１に記載の媒体取引装置。
【発明の詳細な説明】
【技術分野】
【０００１】
本発明は媒体取引装置に関し、例えば媒体として紙幣を取り扱う現金自動預払機（ＡＴＭ：Automatic Teller Machine）等に適用して好適なものである。
【背景技術】
【０００２】
従来、金融機関等で使用される現金自動預払機等においては、利用者との取引内容に応じて、例えば利用者に紙幣や硬貨等の現金を入金させ、また利用者へ現金を出金するものが広く普及している。
【０００３】
現金自動預払機としては、例えば利用者との間で紙幣の引き渡し又は受け取りを行う接客部と、紙幣を搬送する搬送部と、紙幣を鑑別する鑑別部と、紙幣を一時的に保留する一時保留部と、紙幣を金種ごとに収納する紙幣収納庫と、全体を制御する制御部等とを有するものが提案されている（例えば、特許文献１参照）。
【０００４】
現金自動預払機は、例えば入金取引において、利用者により接客部に投入された紙幣を１枚ずつに分離して取り込み、搬送部により鑑別部へ搬送して鑑別させ、その鑑別結果を基に制御部によって搬送先を決定した上で一時保留部に収納させる。その後現金自動預払機は、一時保留部に収納している紙幣をそれぞれ決定された搬送先へ搬送して収納させる。
【０００５】
また現金自動預払機は、例えば出金取引において、利用者により出金額の指示を受け付け、この出金額に応じた金種及び枚数の紙幣を紙幣収納庫から繰り出して搬送部により鑑別部へ搬送して鑑別させ、正常に搬送されている紙幣を接客部へ搬送することにより、利用者に出金額に応じた紙幣を受け取らせる。
【先行技術文献】
【特許文献】
【０００６】
【特許文献１】特開２０１１−２９１２号公報（第１図）
【発明の概要】
【発明が解決しようとする課題】
【０００７】
ところで、金融機関等に設置され利用者との間で現金を取引する装置としては、現金自動預払機の他に、出金取引のみを行う出金機（ＣＤ：Cash Dispenser）がある。この出金機は、現金自動預払機と比較して、入金取引に関する機能が省略されているため、構造が簡素化されており、また導入に要する費用も低廉に抑えることができる。
【０００８】
一方、金融機関等では、利用者のニーズや費用等を考慮し、当初は出金機を設置し、その後の利用者による利用状況の変化等に応じて、入金取引等も実行可能としたい場合がある。
【０００９】
しかしながら、従来の出金機は、出金に特化した設計となっており、入金取引に関する機能を後から追加することができなかった。これを換言すれば、出金機と現金自動預払機との間では、何ら互換性等が考慮されておらず、それぞれ専用に設計されていた。
【００１０】
このため、入金取引を実行可能とするためには、出金機から現金自動預払機に置き換える必要があり、出金機を構成する全部品を入れ替えることになるため、無駄が多く、またその費用も嵩んでしまう、という問題があった。
【００１１】
本発明は以上の点を考慮してなされたもので、実行可能な取引の種類を容易に変更し得る媒体取引装置を提案しようとするものである。
【課題を解決するための手段】
【００１２】
かかる課題を解決するため本発明の媒体取引装置においては、媒体を搬送する搬送部と、搬送部から媒体を受け取り利用者に引き渡す引渡機能及び利用者から媒体を受け取り搬送部に引き渡す受取機能の少なくとも一方を有する接客部を、筐体に対し取り付ける接客取付部と、搬送部により搬送される媒体を鑑別する鑑別部を、筐体に対し取り付ける鑑別取付部と、媒体を収納する収納部を、筐体に対し取り付ける収納取付部と、利用者との間における媒体の取引処理を制御する制御部とを設け、接客取付部、鑑別取付部及び収納取付部のうち少なくとも１つは、互いの機能が異なる複数種類の接客部、鑑別部又は収納部が取付可能であると共に、そのいずれかの種類の接客部、鑑別部又は収納部が取り付けられ、制御部は、接客取付部、鑑別取付部及び収納取付部のうち複数種類の接客部、鑑別部又は収納部が取付可能な部分に取り付けられた接客部、鑑別部又は収納部の種類に応じて、利用者との間で実行可能な取引処理を切り替えるようにした。
【００１３】
本発明は、接客取付部に取り付ける接客部の種類、鑑別取付部に取り付ける鑑別部の種類、及び収納取付部に取り付ける収納部の種類のうち少なくとも１つを取り替えることにより、装置全体を交換すること無く、利用者との間で実行可能な取引処理を切り替えることができる。
【発明の効果】
【００１４】
本発明によれば、実行可能な取引の種類を容易に変更し得る媒体取引装置を実現できる。
【図面の簡単な説明】
【００１５】
【図１】現金自動預払機の外観構成を示す略線的斜視図である。
【図２】第１の実施の形態による紙幣入出金機の構成を示す略線図である。
【図３】第１の実施の形態による各モジュールの構成を示す略線図である。
【図４】接客部における収容器の回動を示す略線図である。
【図５】紙幣入出金機におけるスライドユニットのスライドを示す略線図である。
【図６】第１の実施の形態による高機能版の各モジュールが取り付けられた紙幣入出金機の構成及び高機能モードでの入金取引における紙幣の流れを示す略線図である。
【図７】第１の実施の形態による低機能版の各モジュールが取り付けられた紙幣入出金機の構成及び低機能モードでの出金取引における紙幣の流れを示す略線図である。
【図８】第１の実施の形態による動作モード決定処理手順を示す略線図である。
【図９】動作モード選択画面の構成を示す略線図である。
【図１０】待受画面の構成を示す略線図である。
【図１１】第１の実施の形態による動作モードテーブルの構成を示す略線図である。
【図１２】第１の実施の形態による低機能モードでの出金取引における紙幣の流れを示す略線図である。
【図１３】第１の実施の形態による高機能モードでの入金取引における紙幣の流れを示す略線図である。
【図１４】第２の実施の形態による動作モード決定処理手順を示す略線図である。
【図１５】第２の実施の形態による動作モードテーブルの構成を示す略線図である。
【図１６】第２の実施の形態による準低機能モードでの出金取引における紙幣の流れを示す略線図である。
【図１７】第３の実施の形態による紙幣入出金機の構成を示す略線図である。
【図１８】第３の実施の形態による取忘収納庫が取り付けられた状態における取忘紙幣の流れを示す略線図である。
【図１９】第３の実施の形態による動作モード決定処理手順を示す略線図である。
【図２０】第３の実施の形態による取忘取込フラグテーブルの構成を示す略線図である。
【図２１】第４の実施の形態による紙幣入出金機の構成を示す略線図である。
【図２２】第４の実施の形態による搬送部の構成を示す略線図である。
【図２３】第４の実施の形態による各モジュールの構成を示す略線図である。
【図２４】第４の実施の形態による高機能版の各モジュールが取り付けられた紙幣入出金機の構成及び高機能モードでの入金取引における紙幣の流れを示す略線図である。
【図２５】第４の実施の形態による低機能版の各モジュールが取り付けられた紙幣入出金機の構成及び低機能モードでの出金取引における紙幣の流れを示す略線図である。
【図２６】第４の実施の形態による動作モード決定処理手順を示す略線図である。
【図２７】第４の実施の形態による動作モードテーブルの構成を示す略線図である。
【図２８】第４の実施の形態による高機能モードでの出金取引における取忘紙幣の流れを示す略線図である。
【図２９】第４の実施の形態による高機能モードでの入金取引における紙幣の流れを示す略線図である。
【図３０】第４の実施の形態による準高機能モードでの入金取引における紙幣の流れを示す略線図である。
【発明を実施するための形態】
【００１６】
以下、発明を実施するための形態（以下実施の形態とする）について、図面を用いて説明する。
【００１７】
［１．第１の実施の形態］
［１−１．現金自動預払機の構成］
図１に外観を示すように、現金自動預払機１は、箱状の筐体２を中心に構成されており、例えば金融機関等に設置され、顧客との間で入金取引や出金取引等の現金に関する取引を行うようになっている。
【００１８】
筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７、及びレシート発行口８が設けられており、顧客との間で現金やキャッシュカード等を直接やり取りすると共に、取引に関する情報の通知や操作指示の受付を行う。
【００１９】
カード入出口４は、キャッシュカード等の各種カードが挿入または排出される部分である。カード入出口４の筐体内側には、各種カードに磁気記録された口座番号等の読み取りを行うカード処理部（図示せず）が設けられている。入出金口５は、顧客により入金する紙幣が投入されると共に、顧客へ出金する紙幣が排出される部分である。また入出金口５は、シャッタを駆動することにより開放又は閉塞する。
【００２０】
操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の筐体内側には、レシートに取引内容等を印字するレシート処理部（図示せず）が設けられている。
【００２１】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２２】
因みに筐体２は、前面の下側を覆う前扉（図示せず）が開閉可能に構成されている。例えば筐体２は、顧客との間で現金に関する取引を行う取引動作時に、前扉を閉塞することにより、内部に保有している紙幣や硬貨等を保護する。また筐体２は、金融機関の職員や作業者等が保守作業や紙幣の補充・回収作業等を行う作業時に、必要に応じて前扉を開放することにより、内部の各部に対する作業を容易に行わせることができる。
【００２３】
筐体２内には、現金自動預払機１全体を統括制御する主制御部９や、紙幣に関する種々の処理を行う紙幣入出金機１０等が設けられている。
【００２４】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２５】
［１−２．紙幣入出金機の構成］
紙幣入出金機１０は、図２に模式的な側面図を示すように、紙幣入出金機筐体１１の内部に紙幣の入金処理や出金処理を行うための種々の機構が組み込まれている。また紙幣入出金機１０は、大きく分けて、上側の上部ユニット１２及び下側の下部ユニット１３により構成されている。
【００２６】
上部ユニット１２には、内部で紙幣を搬送する上搬送部１４の他、紙幣制御部１５、接客取付部１６、鑑別取付部１７及び一時保留取付部１８が組み込まれている。
【００２７】
上搬送部１４は、その一部分を模式的に図示するように、モータ、ローラ、ベルト及びガイド等により構成されており、上部ユニット１２内の各部を結ぶような搬送経路（図中実線で示す）を形成している。この上搬送部１４は、ローラを適宜回転させ、またベルトを適宜走行させることにより、この搬送経路に沿って紙幣を搬送するようになっている。因みに上搬送部１４には、搬送経路が分岐又は結合する箇所に切替器が配置されており、この切替器により紙幣の搬送経路を適宜切り替えるようになっている。
【００２８】
また上搬送部１４は、大きく分けて、鑑別取付部１７の前側に位置する前搬送部１４Ａと、鑑別取付部１７の後側に位置する後搬送部１４Ｂとにより構成されている。前搬送部１４Ａは、接客取付部１６の下側と鑑別取付部１７の前側の間、及び鑑別取付部１７の前側と下部ユニット１３の下搬送部２１（詳しくは後述する）との間をそれぞれ結ぶよう、紙幣の搬送経路を構成している。後搬送部１４Ｂは、鑑別取付部１７の後側、接客取付部１６の後側及び一時保留取付部１８の前側を互いに結ぶよう、紙幣の搬送経路を構成している。
【００２９】
紙幣制御部１５は、主制御部９と連携しながら、紙幣入出金機１０を統括的に制御する。この紙幣制御部１５は、主制御部９と同様、図示しないＣＰＵを中心に構成されており、図示しないＲＯＭやフラッシュメモリ等から所定のプログラムを読み出して実行することにより、紙幣の入金処理や出金処理等、紙幣に関する種々の処理を制御する。さらに紙幣制御部１５は、内部にＲＡＭ及びフラッシュメモリ等でなる記憶部を有しており、この記憶部に種々の情報を記憶させている。
【００３０】
接客取付部１６は、図３（Ａ）に示す高機能接客部３１Ｈ又は図３（Ｂ）に示す低機能接客部３１Ｌ（以下、両者をまとめて接客部３１とも呼ぶ）が取り付けられるようになっている。具体的に接客取付部１６は、接客部３１を配置するための空間、当該接客部３１を紙幣入出金機筐体１１に対して固定するための固定部材（図示せず）、及び当該接客部３１と紙幣制御部１５等とを電気的に接続するためのコネクタ（図示せず）等により構成されている。後述する鑑別取付部１７、一時保留取付部１８及び紙幣収納取付部２５も同様に構成されている。
【００３１】
高機能接客部３１Ｈ（図３（Ａ））は、収容器３１Ａを内部に有すると共に、当該収容器３１Ａの上側にシャッタ３１Ｂを有している。収容器３１Ａは、天井部分が開放された直方体状に形成されており、利用者へ引き渡すべき紙幣又は利用者から受け取る紙幣を収容する。シャッタ３１Ｂは、前後方向へ移動することにより、図４（Ａ）及び（Ｂ）に示すように、高機能接客部３１Ｈの上面に形成された孔を開放又は閉塞する。
【００３２】
また高機能接客部３１Ｈは、図示しない回動軸を中心に収容器３１Ａを回動させるようになっている。これにより収容器３１Ａは、図４（Ａ）に示すように底面をほぼ水平に沿わせた受渡状態と、図４（Ｂ）に示すように底面をほぼ鉛直方向に沿わせた分離放出状態とに遷移することができる。
【００３３】
また高機能接客部３１Ｈ（図３（Ａ））は、収容器３１Ａの下側及び後側に、分離部３１Ｃ及び放出部３１Ｄをそれぞれ有している。分離部３１Ｃは、ピックアップローラや搬送ローラ等の複数のローラを有しており、分離放出状態にある収容器３１Ａ内の紙幣をピックアップローラにより１枚ずつに分離し、搬送ローラにより搬送して下方に位置する前搬送部１４Ａへ引き渡す。放出部３１Ｄは、後側に位置する後搬送部１４Ｂから搬送されてくる紙幣を、分離放出状態にある収容器３１Ａ内へ放出して集積させる。
【００３４】
かかる構成により高機能接客部３１Ｈは、出金接客動作及び入金接客動作といった２通りの接客動作を行い得るようになっている。具体的に高機能接客部３１Ｈは、出金接客動作において、まず収容器３１Ａを分離放出状態とし、後側の後搬送部１４Ｂから搬送されてくる紙幣を放出部３１Ｄにより当該収容器３１Ａ内に放出及び集積する。続いて高機能接客部３１Ｈは、当該収容器３１Ａを受渡状態に遷移させ、シャッタ３１Ｂを開放することにより、この紙幣を利用者に引き渡すこと、すなわち出金することができる。以下、このような機能を引渡機能とも呼ぶ。
【００３５】
また高機能接客部３１Ｈは、入金接客動作において、収容器３１Ａを受渡状態とし、且つシャッタ３１Ｂを開放して、利用者に紙幣を当該収容器３１Ａ内へ紙幣を投入させる。続いて高機能接客部３１Ｈは、シャッタ３１Ｂを閉塞し、収容器３１Ａを分離放出状態に遷移させて、収容器３１Ａ内の紙幣を分離部３１Ｃにより１枚ずつに分離しながら下側の前搬送部１４Ａに引き渡すことにより、利用者から紙幣を受け取ること、すなわち入金することができる。以下、このような機能を受取機能とも呼ぶ。すなわち高機能接客部３１Ｈは、引渡機能及び受取機能の双方を有している。
【００３６】
一方、低機能接客部３１Ｌ（図３（Ｂ））は、高機能接客部３１Ｈから分離部３１Ｃが省略された構成となっている。また低機能接客部３１Ｌは、接客動作として出金接客動作のみを行うことができ、入金接客動作を行うことはできない。すなわち低機能接客部３１Ｌは、引渡機能のみを有している。
【００３７】
鑑別取付部１７は、図３（Ｃ）に示す高機能鑑別部３２Ｈ又は図３（Ｄ）に示す低機能鑑別部３２Ｌ（以下、両者をまとめて鑑別部３２とも呼ぶ）が取り付けられるようになっている。
【００３８】
高機能鑑別部３２Ｈ（図３（Ｃ））は、図示しないローラや搬送ガイド等により、前後方向に沿って紙幣の搬送経路３２Ｙを形成している。高機能鑑別部３２Ｈには、この搬送経路３２Ｙに沿って、後側から順に厚みセンサ３２Ａ、画像センサ３２Ｂ及び磁気センサ３２Ｃが配置されている。
【００３９】
厚みセンサ３２Ａは、搬送される紙幣の厚みを検知し、その検知結果を紙幣制御部１５へ供給する。紙幣制御部１５は、厚みセンサ３２Ａから取得した検知結果を基に、紙幣の搬送状態として、当該紙幣が１枚ずつに分離され他の紙幣と重ならず正常に搬送されているか、或いは２枚以上の紙幣が重なって搬送されているかを判断することができる。
【００４０】
画像センサ３２Ｂは、搬送される紙幣の両面を撮像することによりそれぞれの画像を生成し、この画像を紙幣制御部１５へ送出する。また磁気センサ３２Ｃは、紙幣から磁気を検知し、その検知結果を紙幣制御部１５へ送出する。紙幣制御部１５は、画像センサ３２Ｂから取得した画像及び磁気センサ３２Ｃから取得した検知結果を基に、紙幣の金種、真偽及び正損（すなわち損傷の程度）等を判断することができる。以下では、厚みセンサ３２Ａ及び磁気センサ３２Ｃから得られた検知結果及び画像センサ３２Ｂから得られた画像をまとめて鑑別結果と呼ぶ。
【００４１】
さらに紙幣制御部１５は、紙幣の搬送状態、金種、真偽及び正損等といった判断結果を基に、当該紙幣の取扱や搬送先等を決定し、その決定内容に従って各部を制御するようになっている。例えば紙幣制御部１５は、入金取引において利用者に入金された紙幣が取り扱うことのできない紙幣、例えば取扱対象でない金種の紙幣や他国の紙幣等であった場合には、当該紙幣を接客部３１へ搬送して利用者に返却する。
【００４２】
一方、低機能鑑別部３２Ｌ（図３（Ｄ））は、高機能鑑別部３２Ｈから画像センサ３２Ｂ及び磁気センサ３２Ｃが省略された構成となっている。このため、紙幣制御部１５が低機能鑑別部３２Ｌから各種検知結果等を取得した場合、紙幣の搬送状態を判断できるものの、紙幣の金種、真偽及び正損等を判断することはできない。
【００４３】
一時収納取付部としての一時保留取付部１８は、図３（Ｅ）に示す一時収納部としての一時保留部３３が取り付けられ、又は何も取り付けられない状態で運用される。
【００４４】
一時保留部３３（図３（Ｅ））は、後搬送部１４Ｂから搬送されてくる紙幣を内部に順次集積していくことにより一時的に収納し、また収納されている紙幣を１枚ずつに分離して後搬送部１４Ｂに順次引き渡すことにより当該紙幣を繰り出す。
【００４５】
紙幣入出金機１０は、一時保留取付部１８に一時保留部３３が装着されていれば、取引中の紙幣を当該一時保留部３３に収納して他の紙幣と区別することができる。これと反対に、紙幣入出金機１０は、一時保留取付部１８に一時保留部３３が装着されていなければ、取引中の紙幣を他の紙幣と区別していずれかの場所に収納することはできない。
【００４６】
下部ユニット１３には、最上部に紙幣を搬送する下搬送部２１が設けられ、当該下搬送部２１よりも下側を占めるようにスライドユニット２２が設けられている。スライドユニット２２は、スライドレール２３を介して紙幣入出金機筐体１１に取り付けられている。このためスライドユニット２２は、図２に示したように紙幣入出金機筐体１１内に収納された状態と、図５に示すように紙幣入出金機筐体１１の前方に引き出された状態とに遷移することができる。
【００４７】
スライドユニット２２は、中空の直方体状に形成されており、上面が開放されると共に内部が前後方向に沿って複数の空間に区切られている。このため各空間は、上下方向に細長い直方体状の物体を上方向から挿入して装着させ、又は装着されている物体を上方向へ引き出して取り出させることができる。このスライドユニット２２内に形成された空間は、最も後側がリジェクト取付部２４となっており、それ以外の部分が紙幣収納取付部２５となっている。
【００４８】
リジェクト取付部２４には、図３（Ｆ）に示すリジェクト庫３４が取り付けられる。リジェクト庫３４は、全体として上下方向に長い直方体状に形成されており、内部に形成された収納空間内に、多数の紙幣を集積して収納する。またリジェクト庫３４は、下搬送部２１により搬送されてきた紙幣を収納空間内へ放出することにより集積させる放出機構３４Ａを有している。この放出機構３４Ａは、紙幣を両面から挟んで収納空間内へ放出する放出ローラや、放出後の紙幣を集積済みの紙幣の上に叩き付ける羽根車等を有している。
【００４９】
収納取付部としての紙幣収納取付部２５は、図３（Ｇ）に示す高機能紙幣収納庫３５Ｈ又は図３（Ｈ）に示す低機能紙幣収納庫３５Ｌ（以下、両者をまとめて紙幣収納庫３５とも呼ぶ）がそれぞれ取り付けられる。因みに各紙幣収納取付部２５に取り付けられる紙幣収納庫３５は、それぞれ収納する紙幣の金種が予め定められている。説明の都合上、以下では紙幣収納庫３５を収納部とも呼ぶ。
【００５０】
因みに紙幣入出金機１０は、図５に示したように、紙幣入出金機筐体１１の前方へ引き出された状態のスライドユニット２２から、紙幣収納庫３５を上方へ持ち上げるだけで、紙幣収納取付部２５から容易に取り外させることができる。また紙幣入出金機１０は、紙幣収納取付部２５の上方から紙幣収納庫３５を下方へ降ろさせるだけで、紙幣収納取付部２５に取り付けさせる（装着させる）ことができる。すなわち紙幣入出金機１０は、工具等を使用させること無く、紙幣収納取付部２５に対し紙幣収納庫３５を容易に着脱させることができる。
【００５１】
高機能紙幣収納庫３５Ｈ（図３（Ｇ））は、全体としてリジェクト庫３４と類似した構成となっており、放出機構３４Ａと同様の放出機構３５Ａと、集積されている紙幣を１枚ずつに分離して下搬送部２１へ繰り出す分離機構３５Ｂとを有している。
【００５２】
放出機構３５Ａは、リジェクト庫３４の放出機構３４Ａと同様、放出ローラや羽根車等を有している。また分離機構３５Ｂは、紙幣を１枚ずつに分離して送り出すゲートローラや、集積されている紙幣をゲートローラへ供給するピッカローラ等を有している。因みに放出機構３５Ａ及び分離機構３５Ｂは、一部のローラ等を互いに共有している。
【００５３】
このように高機能紙幣収納庫３５Ｈは、下搬送部２１により搬送されてきた紙幣を収納空間内に収納する収納動作と、収納空間内に収納している紙幣を下搬送部２１へ繰り出す繰出動作とを行い得るようになっている。
【００５４】
一方、低機能紙幣収納庫３５Ｌ（図３（Ｈ））は、高機能紙幣収納庫３５Ｈから放出機構３４Ａが省略された構成となっている。このため低機能紙幣収納庫３５Ｌは、繰出動作を行い得るものの、収納動作を行うことはできない。
【００５５】
下搬送部２１は、上搬送部１４と同様、その一部分を模式的に図示するように、モータ、ローラ、ベルト及びガイド等により構成されており、各紙幣収納取付部２５の上側及びリジェクト取付部２４の上側をそれぞれ結ぶ搬送経路（図中実線で示す）を形成し、この搬送経路に沿って紙幣を搬送する。また下搬送部２１は、その前端において、前搬送部１４Ａの前側下端との間で互いの搬送経路を接続している。
【００５６】
このように紙幣入出金機１０では、接客取付部１６に取り付ける接客部３１、鑑別取付部１７に取り付ける鑑別部３２及び紙幣収納取付部２５に取り付ける紙幣収納庫３５として、それぞれ高機能版及び低機能版が用意されており、さらに一時保留取付部１８に取り付けるための一時保留部３３も用意されている。
【００５７】
このため紙幣入出金機１０では、例えば図６に示すように、接客取付部１６に高機能接客部３１Ｈを取り付け、鑑別取付部１７に高機能鑑別部３２Ｈを取り付け、各紙幣収納取付部２５に高機能紙幣収納庫３５Ｈをそれぞれ取り付け、さらに一時保留取付部１８に一時保留部３３を取り付けた構成とすることができる。
【００５８】
また紙幣入出金機１０では、例えば図７に示すように、接客取付部１６に低機能接客部３１Ｌを取り付け、鑑別取付部１７に低機能鑑別部３２Ｌを取り付け、各紙幣収納取付部２５に低機能紙幣収納庫３５Ｌをそれぞれ取り付け、さらに一時保留取付部１８に何ら取り付けない構成とすることもできる。
【００５９】
説明の都合上、以下では、高機能接客部３１Ｈ、低機能接客部３１Ｌ、高機能鑑別部３２Ｈ、低機能鑑別部３２Ｌ、高機能紙幣収納庫３５Ｈ及び低機能紙幣収納庫３５Ｌをそれぞれモジュールとも呼ぶ。また、高機能接客部３１Ｈ、高機能鑑別部３２Ｈ及び高機能紙幣収納庫３５Ｈをそれぞれ高機能版のモジュールとも呼び、低機能接客部３１Ｌ、低機能鑑別部３２Ｌ及び低機能紙幣収納庫３５Ｌをそれぞれ低機能版のモジュールとも呼ぶ。
【００６０】
さらに紙幣入出金機１０では、紙幣制御部１５により、紙幣入出金機筐体１１の各部に取り付けられている各モジュールの種類、例えば接客取付部１６に取り付けられているのが高機能接客部３１Ｈ又は低機能接客部３１Ｌの何れであるか等を認識し得るようになっている。
【００６１】
具体的に各モジュールは、不揮発性のメモリを有しており、モジュールの種類毎に異なる識別番号を記憶している。紙幣制御部１５は、各モジュールが紙幣入出金機筐体１１の各部に取り付けられると、それぞれのモジュールから識別番号を読み取ることにより、取り付けられた各モジュールの種類を認識することができる。
【００６２】
［１−３．動作モードの決定］
ところで紙幣入出金機１０は、取り付けられている各モジュールの種類、例えば高機能接客部３１Ｈ又は低機能接客部３１Ｌの何れであるか等に応じて、利用者との間で行い得る取引の種類が相違する。そこで紙幣入出金機１０の紙幣制御部１５は、電源が投入された直後に、取り付けられている各モジュールの種類に応じて動作モードを決定し、この動作モードに従って実行可能な取引の種類を制限するようになっている。
【００６３】
具体的に紙幣制御部１５は、金融機関の職員や保守作業員等により紙幣入出金機１０の電源が投入されると、図８に示す動作モード決定処理手順ＲＴ１を開始し、ステップＳＰ１へ移る。ステップＳＰ１において紙幣制御部１５は、各モジュールから識別番号をそれぞれ取得することにより、装着されている各モジュールの種類をそれぞれ認識し、次のステップＳＰ２へ移る。
【００６４】
具体的に紙幣制御部１５は、接客取付部１６に取り付けられているのが高機能接客部３１Ｈ又は低機能接客部３１Ｌの何れであるか、及び鑑別取付部１７に取り付けられているのが高機能鑑別部３２Ｈ又は低機能鑑別部３２Ｌの何れであるかを認識する。また紙幣制御部１５は、紙幣収納取付部２５に取り付けられているのが高機能紙幣収納庫３５Ｈ又は低機能紙幣収納庫３５Ｌの何れであるか、及び一時保留取付部１８に一時保留部３３が取り付けられているか否かを認識する。
【００６５】
ステップＳＰ２において紙幣制御部１５は、接客取付部１６に高機能接客部３１Ｈが取り付けられているか否かを判定する。ここで肯定結果が得られると、紙幣制御部１５は次のステップＳＰ３へ移る。ステップＳＰ３において紙幣制御部１５は、鑑別取付部１７に高機能鑑別部３２Ｈが取り付けられているか否かを判定する。ここで肯定結果が得られると、紙幣制御部１５は次のステップＳＰ４へ移る。ステップＳＰ４において紙幣制御部１５は、紙幣収納取付部２５に高機能紙幣収納庫３５Ｈが取り付けられているか否かを判定する。ここで肯定結果が得られると、紙幣制御部１５は次のステップＳＰ５へ移る。
【００６６】
ステップＳＰ５において紙幣制御部１５は、一時保留取付部１８に一時保留部３３が取り付けられているか否かを判定する。ここで肯定結果が得られると、このことは高機能版の各モジュールが装着されると共に一時保留部３３も取り付けられていることから、紙幣入出金機１０において出金取引等に加えて入金取引等も行い得ることを表している。このとき紙幣制御部１５は、次のステップＳＰ６へ移る。
【００６７】
ステップＳＰ６において紙幣制御部１５は、主制御部９（図１）と協働することにより、図９に示す動作モード選択画面Ｄ１を操作表示部６（図１）に表示させ、次のステップＳＰ７へ移る。動作モード選択画面Ｄ１には、メッセージＭ１及びＧＵＩ（Graphical User Interface）による２個のボタンＢ１及びＢ２が表示されている。メッセージＭ１は、動作モード選択画面Ｄ１の上部に表示されており、「動作モードを選択して下さい」の文字列により、保守作業員等に対しボタンＢ１又はＢ２の押下操作を促している。ボタンＢ１及びＢ２は、それぞれ「高機能モード」及び「低機能モード」と表示されており、押下操作により各動作モードが選択される。
【００６８】
ステップＳＰ７において紙幣制御部１５は、主制御部９（図１）と協働することにより、動作モード選択画面Ｄ１のボタンＢ１が押下操作されたか否かを判定する。ここで肯定結果が得られると、このことは保守作業員等の指示に従い、出金取引等に加えて入金取引等も実行可能とするべきであることを表している。このとき紙幣制御部１５は、次のステップＳＰ８へ移る。
【００６９】
ステップＳＰ８において紙幣制御部１５は、高機能モードでの動作を開始し、次のステップＳＰ１０へ移って動作モード決定処理手順ＲＴ１を終了する。この場合、紙幣制御部１５は、利用者との取引の開始を待ち受ける待受状態において、主制御部９（図１）と協働することにより、図１０（Ａ）に示す高機能待受画面Ｄ２を操作表示部６（図１）に表示させる。
【００７０】
高機能待受画面Ｄ２には、メッセージＭ２及びＧＵＩによる５個のボタンＢ３、Ｂ４、Ｂ５及びＢ６が表示されている。メッセージＭ２は、高機能待受画面Ｄ２の上部に表示されており、「ご希望の取引を選択して下さい」といった文字列により、利用者に対しボタンＢ３〜Ｂ６の押下操作を促している。ボタンＢ３〜Ｂ６は、それぞれ取引の種類として「出金」、「残高照会」、「入金」及び「振込」と表示されており、押下操作により各取引が選択される。紙幣制御部１５は、ボタンＢ３〜Ｂ６のいずれかが押下操作されると、各取引に応じた処理をそれぞれ開始するようになっている。
【００７１】
一方、ステップＳＰ２、ＳＰ３、ＳＰ４又はＳＰ５において否定結果が得られると、このことは接客取付部１６、鑑別取付部１７及び紙幣収納取付部２５のうち少なくとも１箇所に低機能版のモジュールが取り付けられ、若しくは一時保留部３３が取り付けられていないため、紙幣入出金機１０を高機能モードで動作させ得ないことを表している。このとき紙幣制御部１５は、次のステップＳＰ９へ移る。
【００７２】
またステップＳＰ７において否定結果が得られると、このことは、高機能版の各モジュールが取り付けられ、且つ一時保留部３３が取り付けられており、紙幣入出金機１０を高機能モードで動作させ得る状態にあるものの、敢えて低機能モードで動作させる指示がなされたことを表している。このとき紙幣制御部１５は、次のステップＳＰ９へ移る。
【００７３】
ステップＳＰ９において紙幣制御部１５は、低機能モードでの動作を開始し、次のステップＳＰ１０へ移って動作モード決定処理手順ＲＴ１を終了する。この場合、紙幣制御部１５は、利用者との取引の開始を待ち受ける待受状態において、主制御部９（図１）と協働することにより、図１０（Ｂ）に示す低機能待受画面Ｄ３を操作表示部６（図１）に表示させる。低機能待受画面Ｄ３は、高機能待受画面Ｄ２からボタンＢ５及びＢ６が省略されている。このため紙幣制御部１５は、この低機能モードにおいて、実行可能な取引の種類が高機能モードよりも削減されている。
【００７４】
このように紙幣制御部１５は、動作モード決定処理手順ＲＴ１を実行することにより、紙幣入出金機１０の動作モードを高機能モード又は低機能モードに切り替え、実行可能な取引の種類を変更するようになっている。
【００７５】
ここで、紙幣入出金機１０の各動作モードと、取り付けられている各モジュールの種類及び有無についてまとめると、図１１に示す動作モードテーブルＴＢＬ１のように表すことができる。このため紙幣制御部１５は、動作モード決定処理手順ＲＴ１を実行することにより、この動作モードテーブルＴＢＬ１に従って動作モードを設定していると見なすこともできる。
【００７６】
［１−４．取引処理］
次に、紙幣入出金機１０における出金取引及び入金取引について、各モジュールの動作と共にそれぞれ説明する。
【００７７】
［１−４−１．出金取引］
まず、紙幣入出金機１０に低機能版の各モジュールが取り付けられ、且つ一時保留部３３が装着されていない状態、すなわち図７に示した状態において、出金取引を行う場合について説明する。
【００７８】
現金自動預払機１の主制御部９（図１）は、低機能待受画面Ｄ３（図１０（Ｂ））において利用者によりボタンＢ３が押下操作されると、紙幣入出金機１０の紙幣制御部１５に対して出金取引の開始を指示する。これに応じて紙幣入出金機１０の紙幣制御部１５は、記憶している出金プログラムを読み出して実行する。
【００７９】
まず紙幣制御部１５は、主制御部９（図１）と連携しながら、カード入出口４（図１）にキャッシュカードを挿入させ、テンキー７等により暗証番号を入力させることにより、利用者の口座番号等を特定する。また紙幣制御部１５は、操作表示部６を介して利用者に出金額を入力させる。
【００８０】
次に紙幣制御部１５は、出金額に応じた金種及び枚数の紙幣を決定した上で、この金種及び枚数の紙幣を低機能紙幣収納庫３５Ｌから順次繰り出させ、図７に示した矢印Ｗ１のように、下搬送部２１及び前搬送部１４Ａにより低機能鑑別部３２Ｌへ搬送して鑑別させる。
【００８１】
ここで紙幣制御部１５は、低機能鑑別部３２Ｌから得られる鑑別結果を基に、紙幣の搬送状態が正常であると判断した場合、矢印Ｗ２のように、当該紙幣を後搬送部１４Ｂにより低機能接客部３１Ｌへ搬送し、放出部３１Ｄにより収容器３１Ａ内へ順次放出して集積させていく。因みに、このとき収容器３１Ａは、分離放出状態（図４（Ｂ））となっている。
【００８２】
一方、紙幣制御部１５は、例えば複数の紙幣が重なって搬送される重送のように、紙幣の搬送状態が正常でないと判断した場合、これを出金すべきで無いリジェクト紙幣と判断し、いわゆるスイッチバック動作により、当該リジェクト紙幣をリジェクト庫３４に収納させる。
【００８３】
具体的に紙幣入出金機１０は、低機能紙幣収納庫３５Ｌからの紙幣の繰出及び搬送を中止し、次に図１２に示す矢印Ｗ３のように、下搬送部２１及び前搬送部１４Ａにおける搬送方向を反転させて動作させることにより、搬送中であった全ての紙幣をリジェクト庫３４へ搬送して収納させる。その後、紙幣入出金機１０は、低機能紙幣収納庫３５Ｌからの紙幣の繰出、下搬送部２１及び前搬送部１４Ａによる当該紙幣の搬送、並びに低機能鑑別部３２Ｌによる鑑別の各動作を再開する。
【００８４】
やがて紙幣入出金機１０は、出金額に応じた金種及び枚数の紙幣を低機能接客部３１Ｌへ搬送し終えると、収容器３１Ａを受渡状態（図４（Ａ））に回動させてシャッタ３１Ｂを開放することにより、利用者に紙幣を取り出させる。その後紙幣入出金機１０は、低機能接客部３１Ｌのシャッタ３１Ｂを閉塞し、一連の出金取引を終了する。
【００８５】
［１−４−２．入金取引］
次に、紙幣入出金機１０に高機能版の各モジュールが取り付けられ、且つ一時保留部３３が装着された状態、すなわち図６に示した状態において、入金取引を行う場合について説明する。
【００８６】
現金自動預払機１の主制御部９（図１）は、高機能待受画面Ｄ２（図１０（Ａ））において利用者によりボタンＢ６が押下操作されると、紙幣入出金機１０の紙幣制御部１５に対して入金取引の開始を指示する。これに応じて紙幣入出金機１０の紙幣制御部１５は、記憶している入金プログラムを読み出して実行する。
【００８７】
まず紙幣制御部１５は、出金取引の場合と同様、カード入出口４（図１）にキャッシュカードを挿入させ、テンキー７等により暗証番号を入力させることにより、利用者の口座番号等を特定する。また紙幣制御部１５は、高機能接客部３１Ｈの収容器３１Ａを受渡状態（図４（Ａ））としてシャッタ３１Ｂを開放し、利用者に当該収容器３１Ａ内へ紙幣を投入させる。
【００８８】
高機能接客部３１Ｈは、収容器３１Ａに紙幣が投入されると、シャッタ３１Ｂを閉塞すると共に当該収容器３１Ａを分離放出状態（図４（Ｂ））にさせ、分離部３１Ｃによりこの紙幣を１枚ずつに分離して前搬送部１４Ａに順次引き渡す。
【００８９】
前搬送部１４Ａは、図６に示した矢印Ｗ４のように、紙幣を高機能鑑別部３２Ｈへ搬送する。高機能鑑別部３２Ｈは、搬送されてくる紙幣を順次鑑別し、得られた鑑別結果を紙幣制御部１５へ供給する。紙幣制御部１５は、鑑別結果を基に紙幣の搬送状態、金種、真偽及び正損等を判断し、その判断結果を基に紙幣の搬送先を決定する。
【００９０】
具体的に紙幣制御部１５は、紙幣の搬送状態が正常であり、金種を正しく特定できた場合、この紙幣を入金受入紙幣とし、矢印Ｗ５のように後搬送部１４Ｂにより一時保留部３３へ搬送して順次収納させる。
【００９１】
一方、紙幣制御部１５は、重送のように紙幣の搬送状態が正常で無い場合や、紙幣の金種を特定できない場合等、正常な紙幣と判断できなかった場合、この紙幣を入金リジェクト紙幣とし、矢印Ｗ６のように後搬送部１４Ｂにより高機能接客部３１Ｈに戻す。高機能接客部３１Ｈは、入金リジェクト紙幣として戻された紙幣があった場合、収容器３１Ａを受渡状態としてシャッタ３１Ｂを開放することにより利用者に返却し、必要に応じて再度紙幣を投入させる。
【００９２】
また紙幣制御部１５は、高機能接客部３１Ｈに投入された全ての紙幣を高機能鑑別部３２Ｈにより鑑別し終えると、入金された紙幣の合計金額（以下これを入金額とも呼ぶ）を集計し、操作表示部６（図１）に所定の確認画面を表示しながら、利用者に入金額を確認させると共に、入金取引を継続するか否かを指示させる。
【００９３】
ここで利用者から入金取引の継続が指示されると、紙幣制御部１５は、図１３に示す矢印Ｗ７のように、一時保留部３３に収納している紙幣を１枚ずつ繰り出させ、これを後搬送部１４Ｂにより高機能鑑別部３２Ｈへ搬送する。高機能鑑別部３２Ｈは、搬送されてきた紙幣を鑑別し、鑑別結果を紙幣制御部１５へ送出する。
【００９４】
紙幣制御部１５は、得られた鑑別結果を基に、紙幣の搬送先を決定する。具体的に紙幣制御部１５は、損傷の程度が大きく再利用すべきでない紙幣をリジェクト紙幣とし、その搬送先をリジェクト庫３４とする。また紙幣制御部１５は、損傷の程度が小さく再利用可能な紙幣の搬送先を、それぞれの金種に応じた高機能紙幣収納庫３５Ｈとする。
【００９５】
続いて紙幣制御部１５は、前搬送部１４Ａ及び下搬送部２１を制御することにより、矢印Ｗ８のように、各紙幣をそれぞれについて決定された搬送先へ振り分けながら搬送し、収納させる。
【００９６】
因みに紙幣制御部１５は、確認画面に対し利用者から入金取引の中止が指示された場合、一時保留部３３に収納している全ての紙幣を後搬送部１４Ｂによって高機能接客部３１Ｈへ搬送することにより、当該紙幣を利用者に返却する。
【００９７】
［１−５．動作及び効果］
以上の構成において、第１の実施の形態による紙幣入出金機１０は、接客取付部１６、鑑別取付部１７及び紙幣収納取付部２５に対し、それぞれ高機能版又は低機能版のモジュール（接客部３１、鑑別部３２及び紙幣収納庫３５）を取り付け得るようにした。また紙幣入出金機１０は、一時保留取付部１８に対し、一時保留部３３を取り付けた状態、又は取り外した状態の何れかにおいて運用し得るようにした。
【００９８】
これと共に紙幣入出金機１０の紙幣制御部１５は、動作モード決定処理手順ＲＴ１（図８）に従い、取り付けられている各モジュールの種類に応じて動作モードを決定するようにした。
【００９９】
このため紙幣入出金機１０は、低機能版の各モジュール、すなわち低機能接客部３１Ｌ、低機能鑑別部３２Ｌ及び低機能紙幣収納庫３５Ｌが取り付けられていれば（図７）、低機能モードで動作することができる。このとき現金自動預払機１は、いわゆる出金機（キャッシュディスペンサ）として機能し、利用者との間で入金を伴わない処理、具体的には出金取引や残高照会等の取引処理を行うことができる。
【０１００】
また紙幣入出金機１０は、高機能版の各モジュール、すなわち高機能接客部３１Ｈ、高機能鑑別部３２Ｈ及び高機能紙幣収納庫３５Ｈが取り付けられ、且つ一時保留部３３が取り付けられていれば（図６）、高機能モードで動作することができる。このとき現金自動預払機１は、いわゆるＡＴＭとして機能し、出金機としての各機能に加えて、利用者との間で入金取引のように入金を伴う種々の取引処理を行うことができる。
【０１０１】
ところで高機能版の各モジュールは、低機能版の各モジュールと比較して、より多くの部品を搭載しており、またその機構も複雑であるため、導入費用が高くなってしまう。そこで各金融機関は、例えば現金自動預払機１を新たに導入する場合、当初は低機能版の各モジュールを取り付けることで、導入費用を抑えることができる。この場合、紙幣入出金機１０は、低機能モードで動作するため、利用者との間で出金取引を行うことができる。
【０１０２】
その後金融機関は、利用者のニーズ等に応じて、現金自動預払機１により入金取引等の入金を伴った取引を行いたい場合がある。このような場合、紙幣入出金機１０は、低機能版の各モジュールが高機能版の各モジュールと交換され、さらに一時保留部３３が取り付けられることにより、高機能モードで動作することができる。このとき金融機関は、現金自動預払機１の全体を入れ替えるのでは無く、筐体２や操作表示部６、並びに紙幣入出金機筐体１１や紙幣制御部１５等をそのまま継続して利用し、高機能版の各モジュール及び一時保留部３３のみを新たに導入すれば良い。
【０１０３】
このため金融機関は、現金自動預払機１の全体を入れ替える場合と比較して、新たな機能の導入に伴う費用を格段に低廉に抑えることができる。これを換言すれば、紙幣入出金機１０は、一部のモジュールを交換することにより、実行可能な取引の種類を増加させること、いわゆるアップグレードをすることができる。
【０１０４】
また紙幣入出金機１０は、高機能版の各モジュールに対し、低機能版の各モジュールにおける各機能を持たせ、いわば上位互換性を保つようにした。このため紙幣入出金機１０は、一部のみ高機能版のモジュールが取り付けられていたとしても、低機能モードで動作することができる。
【０１０５】
これにより金融機関は、例えば予算の都合や将来的なモジュールの交換を勘案し、当初から一部のモジュールのみ高機能版を取り付けることもできる。この場合、金融機関は、全てのモジュールを低機能版から高機能版に入れ替える場合と比較して、導入当初に要する費用が増えるものの、モジュールの入替時に要する費用や、現金自動預払機１の導入当初から累計した費用を低廉に抑えることができる。
【０１０６】
また紙幣入出金機１０は、例えば高機能版の各モジュールが取り付けられた状態（図６）において、一時保留部３３を取り外して保守作業を行う必要がある場合や、高機能版のモジュールを取り外して保守作業を行う必要があり、且つ予備の低機能版のモジュールが一時的に取り付けられた場合に、低機能モードで動作することができる。これにより紙幣入出金機１０は、完全に運用を停止するのでは無く、利用者との間で出金取引等の一部の取引処理を行うことができ、装置全体の可用性を高めることができる。
【０１０７】
さらに紙幣入出金機１０は、動作モード決定処理手順ＲＴ１（図８）のステップＳＰ６において動作モード選択画面Ｄ１（図９）を表示することで、高機能版の各モジュールが取り付けられて高機能モードで動作可能な状態であっても、低機能モードで動作できるようにした。
【０１０８】
これにより紙幣入出金機１０は、例えば金融機関内で連携する他のシステムにおいて障害が発生し、入金取引を行わずに出金取引を行いたい場合などに、モジュールの交換や取り外し等の作業を行うこと無く、容易に低機能モードで動作させることができる。さらに紙幣入出金機１０は、例えば上述した障害が復旧した場合に、電源の再投入等を行い、動作モード決定処理手順ＲＴ１を再度実行することにより、高機能モードに容易に変更することもできる。
【０１０９】
さらに紙幣入出金機１０は、低機能モードにおいて行う出金処理において、紙幣の搬送異常が発生した場合、いわゆるスイッチバック処理を行うようにした。このため紙幣入出金機１０は、低機能モードにおいて上部ユニット１２（図２）内に一部の紙幣を他の紙幣と区別して収納し得る箇所、すなわち一時保留部３３が存在しないものの、この異常が発生した処理をリジェクト庫３４に搬送することで、他の正常な紙幣と区別した状態で収納することができる。
【０１１０】
以上の構成によれば、第１の実施の形態による紙幣入出金機１０は、接客取付部１６、鑑別取付部１７及び紙幣収納取付部２５にそれぞれ高機能版又は低機能版のモジュールを取り付け得るようにし、また一時保留取付部１８に対し、一時保留部３３を取り付けた状態、又は取り外した状態において運用し得るようにした。このため紙幣入出金機１０は、低機能版の各モジュールが取り付けられていれば、低機能モードで動作することで出金機として機能し、利用者との間で入金を伴わない取引処理を行うことができる。また紙幣入出金機１０は、高機能版の各モジュールが取り付けられ、且つ一時保留部３３が取り付けられていれば、高機能モードで動作することでＡＴＭとして機能し、出金機としての各機能に加えて、利用者との間で入金取引のように入金を伴う取引処理を行うことができる。
【０１１１】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点においては同様に構成されている。紙幣入出金機１１０は、第１の実施の形態による紙幣入出金機１０と比較して、紙幣制御部１５に代わる紙幣制御部１１５を有する点において相違するものの、他の点においては同様に構成されている。
【０１１２】
紙幣制御部１１５は、第１の実施の形態における紙幣制御部１５と同様、図示しないＣＰＵを中心に構成されており、図示しないＲＯＭやフラッシュメモリ等から所定のプログラムを読み出して実行することにより、紙幣の入金処理や出金処理等、紙幣に関する種々の処理を制御する。
【０１１３】
この紙幣制御部１１５は、紙幣入出金機１１０の動作モードとして、第１の実施の形態と同様の高機能モード及び低機能モードに加えて、準低機能モードも選択し得るようになっている。この準低機能モードは、全体的に低機能モードと類似した動作モードであるものの、一時保留部３３が取り付けられている場合の動作モードであり、出金処理において当該一時保留部３３を利用した処理を行うようになっている（詳しくは後述する）。
【０１１４】
紙幣制御部１１５は、動作モードを決定する際、第１の実施の形態による動作モード決定処理手順ＲＴ１（図８）に代えて、図１４に示す第２の実施の形態による動作モード決定処理手順ＲＴ２を実行するようになっている。
【０１１５】
具体的に紙幣制御部１１５は、金融機関の職員や保守作業員等により紙幣入出金機１１０の電源が投入されると、動作モード決定処理手順ＲＴ２（図１４）を開始し、ステップＳＰ１１へ移る。ステップＳＰ１１〜ＳＰ１８において紙幣制御部１１５は、第１の実施の形態におけるステップＳＰ１〜ＳＰ８と同様の処理を行うことにより、高機能モードでの動作を開始し、次のステップＳＰ２２へ移って動作モード決定処理手順ＲＴ２を終了する。
【０１１６】
一方、ステップＳＰ１２、ＳＰ１３及びＳＰ１４において否定結果が得られると、紙幣制御部１１５は次のステップＳＰ１９へ移り、ステップＳＰ１５と同様、一時保留取付部１８に一時保留部３３が取り付けられているか否かを判定する。
【０１１７】
ステップＳＰ１５及びＳＰ１９において否定結果が得られた場合、このことは少なくとも一時保留部３３が取り付けられておらず、高機能モード及び準低機能モードでは動作し得ないことを表している。このとき紙幣制御部１１５は、次のステップＳＰ２０へ移ることにより、第１の実施の形態と同様に低機能モードでの動作を開始し、その次のステップＳＰ２２へ移って動作モード決定処理手順ＲＴ２を終了する。
【０１１８】
一方、ステップＳＰ１９において肯定結果が得られると、このことは少なくとも１箇所以上に低機能版のモジュールが装着された上で、一時保留部３３が取り付けられていることを表している。このとき紙幣制御部１１５は、次のステップＳＰ２１へ移る。
【０１１９】
また、ステップＳＰ１７において否定結果が得られると、このことは一時保留部３３が取り付けられているものの、保守作業員等の操作指示に従い、高機能モードとしては動作すべきで無いことを表している。このとき紙幣制御部１１５は、次のステップＳＰ２１へ移る。
【０１２０】
ステップＳＰ２１において紙幣制御部１１５は、準低機能モードでの動作を開始し、次のステップＳＰ２２へ移って動作モード決定処理手順ＲＴ２を終了する。この場合、紙幣制御部１１５は、利用者との取引の開始を待ち受ける待受状態において、主制御部９（図１）と協働することにより、図１０（Ｂ）に示した低機能待受画面Ｄ３を操作表示部６（図１）に表示させる。すなわち紙幣入出金機１１０は、準低機能モードで動作する場合、利用者からの見かけ上、低機能モードと同様に動作しているように見える。
【０１２１】
また、紙幣入出金機１１０の各動作モードと、取り付けられている各モジュールの種類及び有無についてまとめると、図１１と対応する図１５に示す動作モードテーブルＴＢＬ２のように表すことができる。
【０１２２】
次に、紙幣入出金機１１０が準低機能モードにおいて出金取引を行う場合について説明する。ここでは図１６に示すように、紙幣入出金機１１０に低機能版の各モジュールが取り付けられ、且つ一時保留部３３が装着されているものとする。
【０１２３】
紙幣入出金機１１０は、紙幣が正常に搬送されている場合には、第１の実施の形態（図１２）と同様に動作する。すなわち紙幣入出金機１１０は、紙幣制御部１１５の制御に基づき、矢印Ｗ１１のように、出金額に応じた金種及び枚数の紙幣を低機能紙幣収納庫３５Ｌから順次繰り出し、下搬送部２１及び前搬送部１４Ａにより低機能鑑別部３２Ｌへ搬送して鑑別させる。ここで紙幣の搬送状態が正常であれば、紙幣入出金機１１０は、矢印Ｗ１２に示すように、後搬送部１４Ｂにより当該紙幣を低機能接客部３１Ｌへ搬送して収容器３１Ａ内に集積させる。
【０１２４】
一方、紙幣の搬送状態が異常であれば、紙幣入出金機１１０は、これをリジェクト紙幣と判断し、矢印Ｗ１３に示すように、後搬送部１４Ｂにより当該リジェクト紙幣を一時保留部３３へ搬送して収納させる。このとき紙幣制御部１１５は、後搬送部１４Ｂに設けられた切替器を適切なタイミングで切り替えることにより、リジェクト紙幣のみを一時保留部３３へ搬送させる一方、その他の正常な紙幣を継続して低機能接客部３１Ｌへ搬送させ続ける。これを換言すれば、紙幣入出金機１１０は、リジェクト紙幣を検知した場合に、第１の実施の形態のようなスイッチバック動作を行わない。
【０１２５】
やがて紙幣入出金機１１０は、出金額に応じた金種及び枚数の紙幣を低機能接客部３１Ｌへ搬送し終えると、収容器３１Ａを受渡状態（図４（Ａ））に回動させてシャッタ３１Ｂを開放することにより、利用者に紙幣を取り出させる。その後紙幣入出金機１１０は、低機能接客部３１Ｌのシャッタ３１Ｂを閉塞する。
【０１２６】
また紙幣入出金機１１０は、一時保留部３３にリジェクト紙幣が収納されていれば、図１３に示した矢印Ｗ７及びＷ８のように、このリジェクト紙幣を後搬送部１４Ｂ、低機能鑑別部３２Ｌ、前搬送部１４Ａ及び下搬送部２１によりリジェクト庫３４へ搬送して収納させる。
【０１２７】
因みに紙幣入出金機１１０は、第１の実施の形態と同様に、低機能モード及び高機能モードにおいては各モードに対応して、出金取引及び入金取引等の各種取引を行う。
【０１２８】
以上の構成において、第２の実施の形態による紙幣入出金機１１０は、低機能版のモジュールが１箇所以上に取り付けられ、且つ一時保留取付部１８に一時保留部３３が取り付けられていた場合、又は動作モード設定画面（図９）において低機能モードが選択された場合、準低機能モードで動作する。これを換言すれば、紙幣入出金機１１０は、一時保留部３３が取り付けられ、且つ高機能モードで動作しない場合、準低機能モードで動作する。
【０１２９】
この準低機能モードにおいて紙幣入出金機１１０は、出金取引中に搬送状態の異常を検知した場合、すなわちリジェクト紙幣が発生した場合、後搬送部１４Ｂに設けられた切替器において紙幣の搬送経路を切り替え、このリジェクト紙幣のみを一時保留部３３へ搬送して収納する。
【０１３０】
これにより紙幣入出金機１１０は、スイッチバック動作を行う第１の実施の形態と比較して、出金額の紙幣を低機能接客部３１Ｌの収容器３１Ａに集積して利用者に引き渡すまでの待ち時間を大幅に短縮することができる。
【０１３１】
他の観点から見れば、第１の実施の形態では、一時保留部３３が取り付けられていたとしても、低機能モードであればこれを一切使用していなかった。これに対し第２の実施の形態では、準低機能モードを設けたことにより、この一時保留部３３を積極的に利用して、取引処理における待ち時間の短縮に結び付けることができる。
【０１３２】
その他の点においても、第２の実施の形態による紙幣入出金機１１０は、第１の実施の形態による紙幣入出金機１０と同様の作用効果を奏し得る。
【０１３３】
以上の構成によれば、第２の実施の形態による紙幣入出金機１１０は、一時保留部３３が取り付けられながらも高機能モードで動作しない場合、準低機能モードで動作するようにした。このため紙幣入出金機１１０は、準低機能モードで動作する場合、出金取引においてリジェクト紙幣が発生した場合、スイッチバック動作を行わず、これを一時保留部３３に収納しながら引き続き正常な紙幣を接客部３１へ搬送することで、紙幣の出金に要する時間を格段に短縮することができる。
【０１３４】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点においては同様に構成されている。
【０１３５】
紙幣入出金機２１０は、図２と対応する図１７に示すように、第１の実施の形態における上部ユニット１２及び下部ユニット１３とそれぞれ対応する上部ユニット２１２及び下部ユニット２１３により構成されている。
【０１３６】
このうち上部ユニット２１２は、第１の実施の形態による上部ユニット１２と比較して、後搬送部１４Ｂ及び紙幣制御部１５に代わる後搬送部２１４Ｂ及び紙幣制御部２１５を有する点、及び取忘収納取付部２１９を有する点において相違する。また下部ユニット２１３は、第１の実施の形態による下部ユニット１３と比較して、下搬送部２１に代わる下搬送部２２１を有する点において相違する。
【０１３７】
図１７に示すように、取忘収納取付部２１９は、上部ユニット２１２内における一時保留取付部１８の下方に設けられている。この取忘収納取付部２１９には、図１８に示すように取忘収納庫２３６が取り付けられ、又は何も取り付けられない状態で運用される。取忘収納庫２３６は、その内部に紙幣を収納し得るようになっている。
【０１３８】
ここで、現金自動預払機２０１と利用者との間で出金取引が行われる場合、接客部３１に出金された紙幣を当該利用者が取り出さずに立ち去ること、すなわち紙幣の取り忘れが発生することがある。このような場合、紙幣入出金機２１０は、取り忘れられた紙幣（以下これを取忘紙幣と呼ぶ）を、他の利用者に引き渡すこと無く、且つ他の紙幣と区別して保管する必要がある。
【０１３９】
そこで取忘収納庫２３６は、紙幣入出金機２１０に取り付けられている場合、この取忘紙幣を他の紙幣から隔離した状態で保管するようになっている（詳しくは後述する）。
【０１４０】
後搬送部２１４Ｂは、第１の実施の形態による後搬送部１４Ｂと比較して、一時保留取付部１８の近傍と下搬送部２２１の後端近傍とを接続する上下方向に沿った搬送経路と、この搬送経路の途中から分岐して取忘収納取付部２１９と接続する前後方向に沿った短い搬送経路とが追加されている点において相違する。
【０１４１】
紙幣制御部２１５は、第１の実施の形態における紙幣制御部１５と同様、図示しないＣＰＵを中心に構成されており、図示しないＲＯＭやフラッシュメモリ等から所定のプログラムを読み出して実行することにより、紙幣の入金処理や出金処理等、紙幣に関する種々の処理を制御する。
【０１４２】
この紙幣制御部２１５は、第１の実施の形態における紙幣制御部１５と同様、動作モードを高機能モード又は低機能モードに決定する。これに加えて紙幣制御部２１５は、取忘収納取付部２１９に取忘収納庫２３６が取り付けられているか否かに応じて、当該取忘収納庫２３６を使用し得ることを表す取忘取込フラグを設定するようになっている。因みに取忘取込フラグは、初期状態ではオフとなっている。
【０１４３】
紙幣制御部２１５は、動作モードを決定する際、第１の実施の形態による動作モード決定処理手順ＲＴ１（図８）に代えて、図１９に示す第３の実施の形態による動作モード決定処理手順ＲＴ３を実行するようになっている。
【０１４４】
具体的に紙幣制御部２１５は、金融機関の職員や保守作業員等により紙幣入出金機２１０の電源が投入されると、動作モード決定処理手順ＲＴ３（図１９）を開始し、ステップＳＰ３１へ移る。
【０１４５】
紙幣制御部２１５は、ステップＳＰ３１及びＳＰ３２において第１の実施の形態においけるステップＳＰ１及びＳＰ２と同様の処理を行い、次のステップＳＰ３３へ移る。ステップＳＰ３３において紙幣制御部２１５は、取忘収納取付部２１９に取忘収納庫２３６が取り付けられているか否かを判定する。
【０１４６】
ここで肯定結果が得られると、このことは高機能接客部３１Ｈ及び取忘収納庫２３６が取り付けられているため、紙幣の取り忘れが発生した場合、取忘紙幣を取り込むこと及び取忘収納庫２３６に保管できることを表している。このとき紙幣制御部２１５は、次のステップＳＰ３４へ移り、取忘取込フラグをオンに設定して、その次のステップＳＰ３５へ移る。
【０１４７】
一方、ステップＳＰ３１において否定結果が得られると、このことは、紙幣の取り忘れが発生した際に取忘収納庫２３６に保管できないことを表している。このとき紙幣制御部２１５は、取忘取込フラグを初期状態であるオフのまま変更せず、次のステップＳＰ３５へ移る。
【０１４８】
その後、紙幣制御部２１５は、ステップＳＰ３５〜ステップＳＰ４１において、第１の実施の形態におけるステップＳＰ３〜ＳＰ９（図８）とそれぞれ同様の処理を行うことにより、高機能モード又は低機能モードでの動作を開始し、次のステップＳＰ４２へ移って動作モード決定処理手順ＲＴ３を終了する。
【０１４９】
ここで、取忘取込フラグの設定状態（すなわちオン又はオフ）を、接客取付部１６に取り付けられている接客部３１の種類と、取忘収納取付部２１９における取忘収納庫２３６の装着又は非装着との関係としてまとめると、図２０に示す取忘取込フラグテーブルＴＢＬ３のように表すことができる。
【０１５０】
因みに、紙幣入出金機２１０の各動作モードと、取り付けられている各モジュールの種類及び有無について表すと、第１の実施の形態と同様、動作モードテーブルＴＢＬ１（図１１）のようになる。
【０１５１】
次に、現金自動預払機２０１での出金取引において紙幣の取り忘れが発生した場合の処理について、取忘取込フラグの設定状態毎に説明する。
【０１５２】
図４（Ａ）及び（Ｂ）に示した高機能接客部３１Ｈ及び低機能接客部３１Ｌ（すなわち接客部３１）は、図示しないセンサが何れも設けられており、収容器３１Ａにおける紙幣の有無や、当該収容器３１Ａに対し利用者の手が近接したか否か、すなわち紙幣が取り出されたか否か等を検知することができる。接客部３１は、この検知結果を紙幣制御部２１５へ通知するようになっている。
【０１５３】
紙幣制御部２１５は、接客部３１から通知された検知結果を基に、出金取引においてシャッタ３１Ｂを開放してから所定の待機時間（例えば３０秒間）が経過しても紙幣が取り出されなかったことが通知されると、当該紙幣の取り忘れが発生したものと判断する。
【０１５４】
取忘取込フラグがオフの場合、紙幣入出金機２１０は、低機能接客部３１Ｌが取り付けられており、又は取忘収納取付部２１９に取忘収納庫２３６が取り付けられていないため、取忘紙幣を取忘収納庫２３６へ搬送して収納することができない。
【０１５５】
そこで紙幣入出金機２１０は、紙幣の取り忘れが発生すると、低機能接客部３１Ｌのシャッタ３１Ｂを閉塞すると共に、新たな取引処理の受付を中止する。すなわち紙幣入出金機２１０は、低機能接客部３１Ｌの収容器３１Ａ内に紙幣を収納したまま運用を停止することにより、当該収容器３１Ａ内に取忘紙幣を収納する。
【０１５６】
この場合、紙幣入出金機２１０は、例えば金融機関の職員や保守作業員等により操作表示部６等を介して所定の解除操作がなされ、収容器３１Ａから取忘紙幣が取り出されることにより、通常の運用を再開することができる。
【０１５７】
一方、取忘取込フラグがオンの場合、紙幣入出金機２１０は、図１８に示したように、高機能接客部３１Ｈ及び取忘収納庫２３６が取り付けられているため、収容器３１Ａ内の紙幣を取り込むこと、及び取忘収納庫２３６に紙幣を他の紙幣から隔離した状態で収納することができる。
【０１５８】
そこで紙幣入出金機２１０は、紙幣の取り忘れが発生すると、高機能接客部３１Ｈのシャッタ３１Ｂを閉塞した後、分離部３１Ｃにより取忘紙幣を１枚ずつに分離して取り込み、矢印Ｗ１５のように、前搬送部１４Ａ、鑑別部３２及び後搬送部２１４Ｂにより取忘収納庫２３６へ順次搬送して収納させる。
【０１５９】
この場合、紙幣入出金機２１０は、運用を停止すること無く継続し、このときの動作モードに応じて高機能待受画面Ｄ２又は低機能待受画面Ｄ３（図１０）を操作表示部６（図１）に表示させることで、次の利用者による次の取引処理の開始指示を待ち受ける。
【０１６０】
以上の構成において、第３の実施の形態による紙幣入出金機２１０は、接客取付部１６に高機能接客部３１Ｈが取り付けられ、且つ取忘収納取付部２１９に取忘収納庫２３６が取り付けられている場合、取忘取込フラグをオンに設定する。
【０１６１】
紙幣入出金機２１０は、取忘取込フラグがオフであれば、利用者が紙幣を取り忘れたと判断した場合、接客部３１のシャッタ３１Ｂを閉塞することにより取忘紙幣を収容器３１Ａ内に保持し、さらに新たな取引の受付を中止して運用を停止する。
【０１６２】
一方、紙幣入出金機２１０は、取忘取込フラグがオンであれば、利用者が紙幣を取り忘れたと判断した場合、高機能接客部３１Ｈにより取忘紙幣を１枚ずつに分離して順次取り込み、取忘収納庫２３６へ搬送して収納し、次の取引処理を待ち受ける。このため紙幣入出金機２１０は、取忘取込フラグがオンであれば、取忘紙幣を他の紙幣から確実に隔離しつつ、次の取引を行うことにより可用性を高めることができる。
【０１６３】
他の観点から見れば、第１の実施の形態では、接客取付部１６に高機能接客部３１Ｈが取り付けられていたとしても、低機能モードであればその分離部３１Ｃ（図３（Ａ））を一切使用していなかった。これに対し第３の実施の形態では、動作モードが低機能モードであったとしても、取忘取込フラグがオンであれば、高機能接客部３１Ｈの分離部３１Ｃを積極的に利用して、可用性の向上を図ることができる。
【０１６４】
その他の点においても、第３の実施の形態による紙幣入出金機２１０は、第１の実施の形態による紙幣入出金機１０と同様の作用効果を奏し得る。
【０１６５】
以上の構成によれば、第３の実施の形態による紙幣入出金機２１０は、高機能接客部３１Ｈ及び取忘収納庫２３６が取り付けられている場合、取忘取込フラグをオンに設定するようにした。このため紙幣入出金機２１０は、利用者が紙幣を取り忘れたと判断した場合、高機能接客部３１Ｈにより取忘紙幣を１枚ずつに分離して順次取り込み、取忘収納庫２３６へ搬送して収納することにより、取忘紙幣を他の紙幣と区別して保管しながら、運用を停止する必要が無く、可用性を高めることができる。
【０１６６】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点においては同様に構成されている。
【０１６７】
［４−１．紙幣入出金機の構成］
紙幣入出金機３１０は、図２と対応する図２１に示すように、第１の実施の形態における紙幣入出金機筐体１１、上部ユニット１２及び下部ユニット１３とそれぞれ対応する紙幣入出金機筐体３１１、上部ユニット３１２及び下部ユニット３１３により構成されている。
【０１６８】
このうち上部ユニット３１２は、第１の実施の形態における上搬送部１４、紙幣制御部１５、接客取付部１６、鑑別取付部１７及び一時保留取付部１８とそれぞれ対応する搬送部３１４、紙幣制御部３１５、接客取付部３１６、鑑別取付部３１７及び一時保留取付部１８と、第２リジェクト庫３１９とにより構成されている。
【０１６９】
搬送部３１４は、第１の実施の形態における上搬送部１４（図２）と大きく異なり、主に前後方向に沿った直線状の搬送経路を形成している。搬送部３１４は、図２２に拡大して示すように、鑑別取付部３１７を前後から挟むように配置されており、当該鑑別取付部３１７の前側に前搬送部３１４Ａが配置され、当該鑑別取付部３１７の後側に、中搬送部３１４Ｂ、一時保留搬送部３１４Ｃ及び後搬送部３１４Ｄが後方へ向けて順次配置されている。
【０１７０】
この搬送部３１４内では、前後方向に沿った搬送経路に対し、随所から上方向又は下方向へ向かう搬送経路がそれぞれ分岐している。また搬送経路の分岐箇所には、紙幣の進行方向を切り替える切替器がそれぞれ配置されている。この切替器は、後述する紙幣制御部３１５の制御により、紙幣の進行方向を適宜切り替える。
【０１７１】
紙幣制御部３１５は、第１の実施の形態における紙幣制御部１５と同様、図示しないＣＰＵを中心に構成されており、図示しないＲＯＭやフラッシュメモリ等から所定のプログラムを読み出して実行することにより、紙幣の入金処理や出金処理等、紙幣に関する種々の処理を制御する。
【０１７２】
接客取付部３１６は、第１の実施の形態における接客取付部１６と類似しており、図３（Ａ）と対応する図２３（Ａ）に示す高機能接客部３３１Ｈ又は図３（Ｂ）と対応する図２３（Ｂ）に示す低機能接客部３３１Ｌ（以下、両者をまとめて接客部３３１とも呼ぶ）が取り付けられる。
【０１７３】
高機能接客部３３１Ｈ（図２３（Ａ））は、第１の実施の形態における高機能接客部３１Ｈと類似した構成となっている。具体的に高機能接客部３３１Ｈは、収容器３１Ａ、シャッタ３１Ｂ、分離部３１Ｃ及び放出部３１Ｄとそれぞれ対応する収容器３３１Ａ、シャッタ３３１Ｂ、分離部３３１Ｃ及び放出部３３１Ｄを有している。因みに収容器３３１Ａは固定されており、回動しない。
【０１７４】
また高機能接客部３３１Ｈは、紙幣の搬送経路を形成すると共に切替器が組み込まれた接客搬送部３３１Ｅを有している。接客搬送部３３１Ｅは、この切替器により、下端の受渡口と分離部３３１Ｃとの間を結ぶ搬送経路、又は当該受渡口と放出部３３１Ｄとの間を結ぶ搬送経路に切り替えた上で、紙幣を搬送する。
【０１７５】
一方、低機能接客部３３１Ｌ（図２３（Ｂ））は、高機能接客部３３１Ｈから放出部３３１Ｄが省略され、且つ接客搬送部３３１Ｅに代わる接客搬送部３３１Ｆを有する構成となっている。接客搬送部３３１Ｆは、切替器を有しておらず、下端の受渡口と分離部３３１Ｃとの間を結ぶ搬送経路に沿って紙幣を搬送する。
【０１７６】
鑑別取付部３１７（図２１、図２２）は、第１の実施の形態における鑑別取付部１７と同様、高機能鑑別部３２Ｈ（図３（Ｃ））又は低機能鑑別部３２Ｌ（図３（Ｄ））が取り付けられる。
【０１７７】
一時保留取付部３１８は、第１の実施の形態における一時保留取付部１８と類似しており、図３（Ｅ）と対応する図２３（Ｃ）に示す一時保留部３３３が取り付けられ、又は何も取り付けられない状態で運用される。因みに一時保留部３３３は、いわゆるテープエスクロ方式となっており、円筒状に形成されたドラムを回転させながら、その周側面にテープと共に紙幣を巻き付けることで、当該紙幣を順次収納するようになっている。
【０１７８】
第２リジェクト庫３１９は、第１の実施の形態によるリジェクト庫３４と同様、リジェクト紙幣のように他の紙幣と区別して保管すべき紙幣を収納する。
【０１７９】
一方、下部ユニット３１３（図２１）は、第１の実施の形態における下部ユニット１３（図２）と比較して、下搬送部２１が省略され、スライドユニット２２及びスライドレール２３に代わるスライドユニット３２２及びスライドレール３２３が設けられている。スライドユニット３２２には、最も前側にリジェクト取付部３２４が設けられ、その後側に複数の紙幣収納取付部３２５が設けられている。
【０１８０】
リジェクト取付部３２４には、図３（Ｆ）と対応する図２３（Ｄ）に示すリジェクト庫３３４が取り付けられる。リジェクト庫３３４は、第１の実施の形態における放出機構３４Ａと同様の放出機構３３４Ａを有している。
【０１８１】
各紙幣収納取付部３２５は、図３（Ｆ）と対応する図２３（Ｄ）に示す高機能紙幣収納庫３３５Ｈ又は図３（Ｇ）と対応する図２３（Ｅ）に示す低機能紙幣収納庫３３５Ｌ（以下、両者をまとめて紙幣収納庫３３５とも呼ぶ）がそれぞれ取り付けられる。
【０１８２】
高機能紙幣収納庫３３５Ｈは、第１の実施の形態における高機能紙幣収納庫３５Ｈと同様、放出機構３３５Ａ及び分離機構３３５Ｂを有している。一方、低機能紙幣収納庫３３５Ｌは、第１の実施の形態における低機能紙幣収納庫３５Ｌと同様、分離機構３３５Ｂを有するものの、放出機構３３５Ａを有していない。
【０１８３】
かかる構成により紙幣入出金機３１０では、例えば図６と対応する図２４に示すように、接客取付部３１６に高機能接客部３３１Ｈを取り付け、鑑別取付部３１７に高機能鑑別部３３２Ｈを取り付け、各紙幣収納取付部３２５に高機能紙幣収納庫３３５Ｈを取り付けた構成とすることができる。このとき紙幣入出金機３１０は、さらに一時保留取付部３１８に一時保留部３３３を取り付けることができる。
【０１８４】
また紙幣入出金機３１０では、例えば図７と対応する図２５に示すように、接客取付部３１６に低機能接客部３３１Ｌを取り付け、鑑別取付部３１７に低機能鑑別部３３２Ｌを取り付け、各紙幣収納取付部３２５に低機能紙幣収納庫３３５Ｌを取り付けた構成とすることもできる。このとき紙幣入出金機３１０は、一時保留取付部１８に何ら取り付けていない。
【０１８５】
［４−２．動作モードの決定］
ところで紙幣制御部３１５は、紙幣入出金機３１０の動作モードとして、第１の実施の形態と同様の高機能モード及び低機能モードに加えて、準高機能モードも選択し得るようになっている。この準高機能モードは、全体的に高機能モードと類似した動作モードであるものの、一時保留部３３が取り付けられていない場合の動作モードであり、入金取引において当該一時保留部３３を利用しない処理を行うようになっている。
【０１８６】
紙幣制御部１１５は、動作モードを決定する際、第１の実施の形態による動作モード決定処理手順ＲＴ１（図８）に代えて、図２６に示す第４の実施の形態による動作モード決定処理手順ＲＴ４を実行するようになっている。
【０１８７】
具体的に紙幣制御部３１５は、金融機関の職員や保守作業員等により紙幣入出金機３１０の電源が投入されると、動作モード決定処理手順ＲＴ４（図２６）を開始し、ステップＳＰ５１へ移る。ステップＳＰ５１〜ＳＰ５６において紙幣制御部３１５は、第１の実施の形態におけるステップＳＰ１〜ＳＰ５及びステップＳＰ８と同様の処理を行うことにより、高機能モードでの動作を開始し、次のステップＳＰ５９へ移って動作モード決定処理手順ＲＴ４を終了する。
【０１８８】
一方、ステップＳＰ５２、ＳＰ５３及びＳＰ５４において否定結果が得られると、このことは、高機能モードでは動作し得ないことを表している。このとき紙幣制御部３１５は、次のステップＳＰ５７へ移ることにより、第１の実施の形態と同様に低機能モードでの動作を開始し、その次のステップＳＰ５９へ移って動作モード決定処理手順ＲＴ４を終了する。
【０１８９】
また、ステップＳＰ５５において否定結果が得られた場合、このことは高機能接客部３３１Ｈ、高機能鑑別部３３２Ｈ及び高機能紙幣収納庫３３５Ｈが取り付けられている一方、一時保留部３３３が取り付けられていないために、高機能モードでは動作し得ないことを表している。このとき紙幣制御部３１５は、次のステップＳＰ５８へ移ることにより、準高機能モードでの動作を開始し、その次のステップＳＰ５９へ移って動作モード決定処理手順ＲＴ４を終了する。
【０１９０】
紙幣制御部３１５は、利用者との取引の開始を待ち受ける待受状態において、主制御部９（図１）と協働することにより、図１０（Ａ）に示した高機能待受画面Ｄ２を操作表示部６（図１）に表示させる。すなわち紙幣入出金機３１０は、準高機能モードで動作する場合、利用者からの見かけ上、高機能モードと同様に動作しているように見える。
【０１９１】
また、紙幣入出金機３１０の各動作モードと、取り付けられている各モジュールの種類及び有無についてまとめると、図１１及び図１５と対応する図２７に示す動作モードテーブルＴＢＬ４のように表すことができる。
【０１９２】
［４−３．取引処理］
次に、紙幣入出金機３１０における出金取引及び入金取引について、各モジュールの動作と共にそれぞれ説明する。
【０１９３】
［４−３−１．出金取引］
まず、紙幣入出金機３１０に低機能版の各モジュールが取り付けられ、且つ一時保留部３３３が装着されていない状態、すなわち図２５に示したように低機能モードで動作している状態において、出金取引を行う場合について説明する。
【０１９４】
まず紙幣入出金機３１０の紙幣制御部３１５は、第１の実施の形態と同様、主制御部９（図１）と連携しながら、操作表示部６を介して利用者に出金額を入力させる。
【０１９５】
次に紙幣制御部３１５は、出金額に応じた金種及び枚数の紙幣を決定した上で、この金種及び枚数の紙幣を低機能紙幣収納庫３３５Ｌから順次繰り出させ、図２５に示す矢印Ｗ２１のように、搬送部３１４の後搬送部３１４Ｄ、一時保留搬送部３１４Ｃ及び中搬送部３１４Ｂにより、低機能鑑別部３２Ｌへ搬送して鑑別させる。
【０１９６】
ここで紙幣制御部３１５は、低機能鑑別部３２Ｌから得られる鑑別結果を基に、紙幣の搬送状態が正常であると判断した場合、矢印Ｗ２２のように、当該紙幣を前搬送部３１４Ａにより低機能接客部３３１Ｌへ搬送し、放出部３３１Ｄにより収容器３３１Ａ内へ順次放出して集積させていく。
【０１９７】
一方、紙幣制御部３１５は、例えば複数の紙幣が重なって搬送される重送のように、紙幣の搬送状態が正常でないと判断した場合、これを出金すべきで無いリジェクト紙幣と判断し、矢印Ｗ２３のように、前搬送部３１４Ａ（図２２）により当該リジェクト紙幣をリジェクト庫３３４へ搬送して収納させる。
【０１９８】
やがて紙幣入出金機３１０は、出金額に応じた金種及び枚数の紙幣を低機能接客部３３１Ｌへ搬送し終えると、シャッタ３３１Ｂを開放することにより、利用者に紙幣を取り出させる。その後紙幣入出金機３１０は、低機能接客部３３１Ｌのシャッタ３３１Ｂを閉塞し、一連の出金取引を終了する。
【０１９９】
ところで紙幣入出金機３１０は、低機能モードで動作している状態で、出金した紙幣の取り忘れが発生した場合、第３の実施の形態と同様、低機能接客部３１Ｌの低機能接客部３１Ｌの収容器３１Ａ内に紙幣を収納したまま運用を停止することにより、当該収容器３１Ａ内に取忘紙幣を収納する。
【０２００】
一方、紙幣入出金機３１０は、高機能モードで動作している状態で、出金した紙幣の取り忘れが発生した場合、図２８に示すように、高機能接客部３３１Ｈのシャッタ３３１Ｂを閉塞した後、分離部３３１Ｃにより取忘紙幣を１枚ずつに分離して取り込み、矢印Ｗ２４のように、搬送部３１４により第２リジェクト庫３１９へ順次搬送して収納させる。
【０２０１】
［４−３−２．高機能モードにおける入金取引］
次に、紙幣入出金機３１０に高機能版の各モジュールが取り付けられ、且つ一時保留部３３が装着された状態、すなわち図２４に示したように高機能モードで動作している状態において、入金取引を行う場合について説明する。
【０２０２】
まず紙幣入出金機３１０の紙幣制御部３１５は、第１の実施の形態と同様、主制御部９（図１）と連携しながら、操作表示部６を介して利用者から入金取引の指示を受け付ける。また紙幣制御部３１５は、高機能接客部３３１Ｈのシャッタ３３１Ｂを開放し、利用者に収容器３３１Ａ内へ紙幣を投入させる。
【０２０３】
高機能接客部３３１Ｈは、収容器３３１Ａに紙幣が投入されると、シャッタ３３１Ｂを閉塞し、分離部３３１Ｃ（図２３（Ａ））によりこの紙幣を１枚ずつに分離して前搬送部３１４Ａに順次引き渡す。
【０２０４】
前搬送部３１４Ａは、図２４に示した矢印Ｗ２５のように、紙幣を高機能鑑別部３２Ｈへ搬送する。高機能鑑別部３２Ｈは、搬送されてくる紙幣を順次鑑別し、鑑別結果を紙幣制御部３１５へ供給する。紙幣制御部３１５は、得られた鑑別結果を基に紙幣の搬送状態、金種、真偽及び正損等を判断し、その判断結果を基に紙幣の搬送先を決定する。
【０２０５】
具体的に紙幣制御部３１５は、紙幣の搬送状態が正常であり、金種を正しく特定できた場合、この紙幣を入金受入紙幣とし、矢印Ｗ２６のように中搬送部３１４Ｂ（図２２）及び一時保留搬送部３１４Ｃにより一時保留部３３３へ搬送して順次収納させる。また紙幣制御部３１５は、紙幣の順序と対応付けて、紙幣の金種や正損等を記憶していく。
【０２０６】
一方、紙幣制御部３１５は、重送のように紙幣の搬送状態が正常で無い場合や、紙幣の金種を特定できない場合等、正常な紙幣と判断できなかった場合、この紙幣を入金リジェクト紙幣とし、矢印Ｗ２７のように後搬送部３１４Ｄ（図２２）内へ搬送し、当該後搬送部３１４Ｄ内における搬送経路上に止めて収納する。
【０２０７】
紙幣制御部３１５は、高機能接客部３３１Ｈに投入された全ての紙幣を高機能鑑別部３２Ｈにより鑑別し終えた時点で、後搬送部３１４Ｄ内に入金リジェクト紙幣を収納していた場合、これを高機能接客部３３１Ｈへ搬送し、シャッタ３１Ｂを開放して利用者に返却する。
【０２０８】
また紙幣制御部３１５は、後搬送部３１４Ｄ内に入金リジェクト紙幣を収納していなければ、入金された紙幣の合計金額（以下これを入金額とも呼ぶ）を集計し、操作表示部６（図１）に所定の確認画面を表示しながら、利用者に入金額を確認させると共に、入金取引を継続するか否かを指示させる。
【０２０９】
ここで利用者から入金取引の継続が指示されると、紙幣制御部３１５は、図２９に示す矢印Ｗ２８のように、一時保留部３３に収納している紙幣を１枚ずつ繰り出させ、記憶している鑑別結果を基に搬送先を決定する。具体的に紙幣制御部３１５は、リジェクト紙幣の搬送先をリジェクト庫３３４とし、再利用可能な紙幣の搬送先をそれぞれの金種に応じた高機能紙幣収納庫３３５Ｈとする。続いて紙幣制御部３１５は、搬送部３１４の各切替器を適宜制御することにより、各紙幣をそれぞれについて決定された搬送先へ振り分けながら搬送し、収納させる。
【０２１０】
因みに紙幣制御部３１５は、確認画面に対し利用者から入金取引の中止が指示された場合、一時保留部３３３に収納している全ての紙幣を高機能接客部３３１Ｈへ搬送し、シャッタ３３１Ｂを開放することにより、当該紙幣を利用者に返却する。この場合、紙幣入出金機３１０は、入金された紙幣を他の紙幣と入れ替えること無く、そのまま利用者に返却することができる。
【０２１１】
［４−３−３．準高機能モードにおける入金取引］
今度は、紙幣入出金機３１０に高機能版の各モジュールが取り付けられ、且つ一時保留部３３３が装着されていない状態、すなわち図３０に示すように準高機能モードで動作している状態において、入金取引を行う場合について説明する。
【０２１２】
高機能接客部３３１Ｈは、高機能モードの場合と同様、収容器３３１Ａに紙幣が投入されると、シャッタ３３１Ｂを閉塞し、分離部３３１Ｃによりこの紙幣を１枚ずつに分離して前搬送部３１４Ａ（図２２）に順次引き渡す。前搬送部３１４Ａは、矢印Ｗ２９のように、紙幣を高機能鑑別部３２Ｈへ搬送する。高機能鑑別部３２Ｈは、搬送されてくる紙幣を順次鑑別し、鑑別結果を紙幣制御部３１５へ供給する。紙幣制御部３１５は、得られた鑑別結果を基に紙幣の搬送状態、金種、真偽及び正損等を判断し、その判断結果を基に紙幣の搬送先を決定する。
【０２１３】
具体的に紙幣制御部３１５は、紙幣の搬送状態が正常であり、金種を正しく特定できた場合、矢印Ｗ３０のようにその金種に応じた高機能紙幣収納庫３３５Ｈへ搬送して順次収納させる。また紙幣制御部３１５は、収納した紙幣の金種及び枚数を逐次集計して記憶する。
【０２１４】
一方、紙幣制御部３１５は、搬送状態や金種等を基に正常な紙幣と判断できなかった場合、この紙幣を入金リジェクト紙幣とし、いわゆるスイッチバック動作を行う。すなわち紙幣制御部３１５は、紙幣の搬送を停止し、入金リジェクト紙幣及び搬送中の他の紙幣を高機能接客部３３１Ｈへ逆送してシャッタ３３１Ｂを開放し、収容器３３１Ａに残っている他の紙幣と共に利用者に返却する。このとき利用者により紙幣が収容器３３１Ａへ再投入されると、紙幣制御部３１５は再び一連の処理を繰り返す。
【０２１５】
やがて紙幣制御部３１５は、高機能接客部３３１Ｈに投入された全ての紙幣を高機能鑑別部３２Ｈにより鑑別し終えると、入金された紙幣の合計金額（以下これを入金額とも呼ぶ）を集計し、操作表示部６（図１）に所定の確認画面を表示しながら、利用者に入金額を確認させると共に、入金取引を継続するか否かを指示させる。
【０２１６】
ここで利用者から入金取引の継続が指示されると、紙幣制御部３１５は、入金取引を終了する。一方、入金取引の中止が指示されると、紙幣制御部３１５は、記憶している入金額に相当する金種及び枚数の紙幣を、出金取引の場合と同様に高機能接客部３３１Ｈへ搬送して利用者に返却し、入金取引を終了する。
【０２１７】
［４−４．動作及び効果］
以上の構成において、第４の実施の形態による紙幣入出金機３１０は、接客取付部３１６、鑑別取付部３１７及び紙幣収納取付部３２５に対し、それぞれ高機能版又は低機能版のモジュール（接客部３３１、鑑別部３２及び紙幣収納庫３３５）を取り付け得るようにした。また紙幣入出金機３１０は、一時保留取付部３１８に対し、一時保留部３３３を取り付けた状態、又は取り外した状態の何れかにおいて運用し得るようにした。
【０２１８】
このため紙幣入出金機３１０は、低機能版の各モジュール、すなわち低機能接客部３３１Ｌ、低機能鑑別部３２Ｌ及び低機能紙幣収納庫３３５Ｌが取り付けられていれば（図２５）、第１の実施の形態と同様、低機能モードで動作することができる。このとき紙幣入出金機３１０は、いわゆる出金機（キャッシュディスペンサ）として機能し、利用者との間で入金を伴わない処理、具体的には出金取引や残高照会等の取引処理を行うことができる。
【０２１９】
また紙幣入出金機３１０は、高機能版の各モジュール、すなわち高機能接客部３３１Ｈ、高機能鑑別部３２Ｈ及び高機能紙幣収納庫３３５Ｈが取り付けられ、且つ一時保留部３３が取り付けられていれば（図２４）、高機能モードで動作することができる。このとき紙幣入出金機３１０は、いわゆるＡＴＭとして機能し、出金機としての各機能に加えて、利用者との間で入金取引のように入金を伴う種々の取引処理を行うことができる。
【０２２０】
さらに紙幣入出金機３１０は、高機能版の各モジュールが取り付けられ、且つ一時保留部３３３が装着されていない場合、高機能モードでは動作できないものの、準高機能モードで動作することができる。
【０２２１】
このとき紙幣入出金機３１０は、利用者から入金された紙幣を、高機能紙幣収納庫３３５Ｈへ逐次収納していく。すなわち紙幣入出金機３１０は、入金された全ての紙幣を鑑別して入金額を確定する前の時点であり、利用者に入金取引を継続するか否かを問い合わせる前の時点で、入金された紙幣を他の紙幣と区別せずに高機能紙幣収納庫３３５Ｈ内に収納する。
【０２２２】
このため紙幣入出金機３１０は、入金取引の中止が指示された場合、入金された紙幣そのものを返却できない可能性があるものの、少なくとも入金額に相当する紙幣を利用者に返却することで、取引上の問題を生じることがない。これにより紙幣入出金機３１０は、一時保留部３３３が取り付けられていない準高機能モードにおいて、入金取引を正常に行うことができる。
【０２２３】
その他の点においても、第４の実施の形態による紙幣入出金機３１０は、第１の実施の形態による紙幣入出金機１０と同様の作用効果を奏し得る。
【０２２４】
以上の構成によれば、第４の実施の形態による紙幣入出金機３１０は、高機能版の各モジュールが取り付けられ、且つ一時保留部３３３が装着されていない場合、準高機能モードで動作するようにした。このため紙幣入出金機３１０は、準高機能モードで動作する場合、入金取引が中止された際に必ずしも入金された紙幣そのものを返却できない恐れがあるものの、取引上の問題を生じることなく入金取引を行うことができる。
【０２２５】
［５．他の実施の形態］
なお上述した第１の実施の形態においては、紙幣入出金機１０の接客取付部１６、鑑別取付部１７及び紙幣収納取付部２５の３箇所において、それぞれ低機能版又は高機能版のモジュールを選択して取り付け得るようにした場合について述べた。しかしながら本発明はこれに限らず、例えば接客取付部１６に代えて固定式の接客部３１を取り付ける等、必ずしも３箇所全てにおいて低機能版又は高機能版のモジュールに交換し得るようにしなくても良い。また、この３箇所以外にも、例えば上搬送部１４における一時保留取付部１８の近傍に配置する切替部を、一時保留部３３を取り付けない場合に、非切替式の搬送経路と交換し得るようにする等、種々の箇所を交換し、又は追加し得るように構成しても良い。第２〜第４の実施の形態についても同様である。特に第４の実施の形態においては、第２リジェクト庫３１９を着脱可能に構成しても良い。
【０２２６】
また上述した実施の形態においては、紙幣入出金機１０の一時保留取付部１８に対し、一時保留部３３を着脱し得るようにした場合について述べた。しかしながら本発明はこれに限らず、例えば一時保留取付部１８に代えて、固定式の一時保留部３３を取り付けても良い。第２〜第４の実施の形態についても同様である。
【０２２７】
さらに上述した第１の実施の形態においては、取り付けられているモジュールの種類に応じて、動作モードを低機能モード又は高機能モードの２通りとし、第２及び第４の実施の形態においてはこれに準低機能モード又は準高機能モードを加えた３通りとする場合について述べた。しかしながら本発明はこれに限らず、４通り以上の動作モードに切り替えるようにしても良い。この場合、取り付けられているモジュールの機能を有効に活用した取引を行い得るような動作モードに切り替えることが望ましい。或いは、第３の実施の形態のように、取り付けられているモジュールの有無や種類を表すフラグを適宜設定し、このフラグの状態に応じて、実行する処理の種類や内容を切り替えるようにしても良い。
【０２２８】
さらに上述した第１の実施の形態においては、紙幣入出金機１０の動作モードを決定する場合に、高機能モードで動作可能な状態であっても、保守作業員等による動作モード選択画面Ｄ１（図９）に対する操作指示に従い、意図的に低機能モードで動作し得るようにする場合について述べた。しかしながら本発明はこれに限らず、例えば第４の実施の形態のように、高機能モードで動作可能な状態であれば強制的に高機能モードで動作するようにしても良い。第２〜第３の実施の形態についても同様である。また第４の実施の形態においては、第１の実施の形態と同様に、動作モード選択画面Ｄ１により動作モードの選択指示を受け付けるようにしても良い。
【０２２９】
さらに上述した第１の実施の形態においては、低機能鑑別部３２Ｌ（図３（Ｄ））に厚みセンサ３２Ａのみを設ける場合について述べた。しかしながら本発明はこれに限らず、例えば厚みセンサ３２Ａに加えて、光センサを設けても良い。この光センサは、搬送経路３２Ｙを挟んで互いに対向する位置に発光素子と受光素子とをそれぞれ配置し、発光素子から所定の検知光を発光し、これを受光素子により受光する。紙幣制御部１５は、この検知光が遮光されたか否か、及び検知光が遮光された時間やその間隔等と、厚みセンサ３２Ａの検知結果を基に、紙幣の搬送状態をより高精度に検知することができる。また低機能鑑別部３２Ｌには、紙幣の搬送状態を検知し得る他の種々のセンサを設けても良い。第２〜第４の実施の形態についても同様である。
【０２３０】
さらに上述した第３の実施の形態においては、上部ユニット２１２（図１７等）内に取忘収納庫２３６を取り付ける場合について述べた。しかしながら本発明はこれに限らず、例えば取忘収納庫２３６に代えて、偽券を収納するための偽券収納庫や、リジェクト庫３４と同等の機能を有する第２リジェクト庫を取り付けても良い。この場合、取り付けられたモジュールの種類に応じて、実行可能な取引処理の種類や処理の内容を適宜切り替えれば良い。また、第２リジェクト庫を設ける場合に、例えば下部ユニット２１３からリジェクト庫２３４を省略しても良い。これにより、下部ユニット２１３内に装填し得る紙幣収納庫３５の数を増加させ、収納可能な紙幣の全枚数を増加させることができる。また、第４の実施の形態における第２リジェクト庫３１９についても、第３の実施の形態における取忘収納庫２３６と同様、紙幣入出金機筐体３１１に対し着脱可能に構成しても良く、さらには他の種類のモジュールを取り付け得るようにしても良い。
【０２３１】
さらに上述した第４の実施の形態においては、入金リジェクト紙幣を後搬送部３１４Ｄ内における搬送経路上に止めて収納する場合について述べた（図２４）。しかしながら本発明はこれに限らず、例えば第２リジェクト庫３１９に代えて紙幣の収納及び繰出が可能な収納庫を設け、この収納庫に入金リジェクト紙幣を収納しても良い。
【０２３２】
さらに上述した第１の実施の形態においては、各モジュールの不揮発性メモリに対し、当該モジュールの種類毎に異なる識別番号を記憶させ、紙幣制御部１５がこの識別番号を基にモジュールの種類を自動的に認識する場合について述べた。しかしながら本発明はこれに限らず、例えば接客取付部１６に所定のセンサを設けると共に、高機能接客部３１Ｈにのみこのセンサにより検知し得る非検知部位を設け、このセンサの検知結果を基にモジュールの種類を認識しても良く、或いは取り付けられているモジュールの種類を保守作業員等が手作業により登録するようにしても良い。この場合、紙幣制御部１５は、登録された内容を基に動作モードを決定すれば良い。第２〜第４の実施の形態についても同様である。
【０２３３】
さらに上述した第１の実施の形態においては、高機能接客部３１Ｈ及び低機能接客部３１Ｌ（図３）を互いに異なるモジュールとして用意し、その何れかを接客取付部１６に取り付けるようにした場合について述べた。しかしながら本発明はこれに限らず、例えば低機能接客部３１Ｌに分離部３１Ｃ（図３（Ａ））を構成する部品を追加的に、若しくは当該低機能接客部３１Ｌの一部分を交換するようにして取り付けることで、高機能接客部３１Ｈと同等の機能を実現するように、いわばモジュール毎に高機能版へアップグレードできるようにしても良い。鑑別部３２等の他のモジュールについても同様であり、また第２〜第４の実施の形態についても同様である。
【０２３４】
さらに上述した第１の実施の形態においては、接客部３１を配置するための空間、当該接客部３１を紙幣入出金機筐体１１に対して固定するための固定部材、及び当該接客部３１と紙幣制御部１５等とを電気的に接続するためのコネクタ等により、接客取付部１６を構成する場合について述べた。しかしながら本発明はこれに限らず、例えば固定部材に代えて、容易に取り付け及び取り外しを可能とする簡易着脱機構を用いても良い。要は、異なる種類のモジュールに交換して機能させることができれば良い。鑑別取付部１７、一時保留取付部１８及び紙幣収納取付部２５についても同様である。また、第２〜第４の実施の形態についても同様であり、第３の実施の形態における取忘収納取付部２１９についても同様である。
【０２３５】
さらに上述した第１の実施の形態においては、現金自動預払機１の紙幣入出金機１０に本発明を適用する場合について述べた。しかしながら本発明はこれに限らず、例えば金融機関の窓口に設置され、主に金融機関の職員に使用される紙幣整理装置（いわゆるテラーマシン）等、紙幣を取り扱う種々の装置に適用しても良い。第２〜第４の実施の形態についても同様である。
【０２３６】
さらに上述した第１の実施の形態においては、媒体としての紙幣を取り扱う現金自動預払機１に本発明を適用する場合について述べた。しかしながら本発明はこれに限らず、例えば各種の金券や証券のような種々の媒体を取り扱う装置に適用しても良い。
【０２３７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０２３８】
さらに上述した実施の形態においては、搬送部としての上搬送部１４及び下搬送部２１と、接客取付部としての接客取付部１６と、鑑別取付部としての鑑別取付部１７と、収納取付部としての紙幣収納取付部２５と、制御部としての紙幣制御部１５とによって媒体取引装置としての現金自動預払機１を構成する場合について述べた。しかしながら本発明はこれに限らず、その他種々の構成でなる搬送部と、接客取付部と、鑑別取付部と、収納取付部と、制御部とによって媒体取引装置を構成しても良い。
【産業上の利用可能性】
【０２３９】
本発明は、媒体としての紙幣を利用者との間で取引する現金自動預払機でも利用できる。
【符号の説明】
【０２４０】
１、１０１、２０１、３０１……現金自動預払機、６……操作表示部、９……主制御部、１０、１１０、２１０、３１０……紙幣入出金機、１１、３１１……紙幣入出金機筐体、１２、２１２、３１２……上部ユニット、１３、２１３、３１３……下部ユニット、１４……上搬送部、１４Ａ……前搬送部、１４Ｂ、２１４Ｂ……後搬送部、１５、１１５、２１５、３１５……紙幣制御部、１６、３１６……接客取付部、１７、３１７……鑑別取付部、１８、３１８……一時保留取付部、２１、２２１……下搬送部、２５、３２５……紙幣収納取付部、３１、３３１……接客部、３１Ｈ、３３１Ｈ……高機能接客部、３１Ｌ、３３１Ｌ……低機能接客部、３１Ａ、３３１Ａ……収容器、３１Ｂ、３３１Ｂ……シャッタ、３１Ｃ、３３１Ｃ……分離部、３１Ｄ、３３１Ｄ……放出部、３２、３３２……鑑別部、３２Ｈ、３３２Ｈ……高機能鑑別部、３２Ｌ、３３２Ｌ……低機能鑑別部、３２Ａ……厚みセンサ、３２Ｂ……画像センサ、３２Ｃ……磁気センサ、３２Ｙ……搬送経路、３３、３３３……一時保留部、３４、３３４……リジェクト庫、３４Ａ、３３４Ａ……放出機構、３５、３３５……紙幣収納庫、３５Ｈ、３３５Ｈ……高機能紙幣収納庫、３５Ｌ、３３５Ｌ……低機能紙幣収納庫、３５Ａ、３３５Ａ……放出機構、３５Ｂ、３３５Ｂ……分離機構、２１９……取忘収納取付部、２３６……取忘収納庫、３１４……搬送部、３１４Ａ……前搬送部、３１４Ｂ……中搬送部、３１４Ｃ……一時保留搬送部、３１４Ｄ……後搬送部、３１９……第２リジェクト庫、３３１Ｅ、３３１Ｆ……接客搬送部、ＴＢＬ１、ＴＢＬ２、ＴＢＬ４……動作モードテーブル、ＴＢＬ３……取忘取込フラグテーブル。
【図１】
2016057968.tif 000003
【図２】
2016057968.tif 000004
【図３】
2016057968.tif 000005
【図４】
2016057968.tif 000006
【図５】
2016057968.tif 000007
【図６】
2016057968.tif 000008
【図７】
2016057968.tif 000009
【図８】
2016057968.tif 000010
【図９】
2016057968.tif 000011
【図１０】
2016057968.tif 000012
【図１１】
2016057968.tif 000013
【図１２】
2016057968.tif 000014
【図１３】
2016057968.tif 000015
【図１４】
2016057968.tif 000016
【図１５】
2016057968.tif 000017
【図１６】
2016057968.tif 000018
【図１７】
2016057968.tif 000019
【図１８】
2016057968.tif 000020
【図１９】
2016057968.tif 000021
【図２０】
2016057968.tif 000022
【図２１】
2016057968.tif 000023
【図２２】
2016057968.tif 000024
【図２３】
2016057968.tif 000025
【図２４】
2016057968.tif 000026
【図２５】
2016057968.tif 000027
【図２６】
2016057968.tif 000028
【図２７】
2016057968.tif 000029
【図２８】
2016057968.tif 000030
【図２９】
2016057968.tif 000031
【図３０】
2016057968.tif 000032